(57)【要約】【課題】無線通信システムにおいて干渉除去能力を有する端末のための干渉除去のための方法を提供する。【解決手段】前記方法は、セル間干渉を誘発する可能性のある干渉セルから送信される参照信号に関する情報を受信するステップと、前記受信された参照信号に関する情報を用いて前記参照信号の検出を試みるステップとを含むことができ、前記参照信号に関する情報は、前記干渉セルと前記端末のサービングセルが同じサイクリックプレフィックス長を有し、互いに同期が取れている場合に受信されてもよい。【選択図】図６
2016521085.tif 000002
【特許請求の範囲】
【請求項１】
無線通信システムにおいて干渉除去能力を有する端末のための干渉除去のための方法であって、
セル間干渉を誘発する可能性のある干渉セルから送信される参照信号に関する情報を受信するステップと、
前記受信された参照信号に関する情報を用いて前記参照信号の検出を試みるステップと、
を含み、
前記参照信号に関する情報は、前記干渉セルと前記端末のサービングセルが同じサイクリックプレフィックス長を有し、互いに同期が取れている場合に受信されることを特徴とする、干渉除去方法。
【請求項２】
前記参照信号に関する情報は、第１参照信号に関する情報集合、及び前記第１参照信号と特定関係を持つ一つ以上の第２参照信号に関する情報集合を含み、
前記一つ以上の第２参照信号に関する情報集合のそれぞれは、該当の情報集合によって定義された第２参照信号が前記第１参照信号と前記特定関係を有することを示す情報を含むことを特徴とする、請求項１に記載の干渉除去方法。
【請求項３】
前記特定関係は、前記第２参照信号が送信されるアンテナポートと前記第１参照信号が送信されるアンテナポートとがＱＣＬ（ｑｕａｓｉ  ｃｏ−ｌｏｃａｔｅｄ）された関係であることを特徴とする、請求項２に記載の干渉除去方法。
【請求項４】
前記第１参照信号に関する情報を用いて第１参照信号を検出するステップと、
前記検出された第１参照信号の受信電力及び前記一つ以上の第２参照信号に関する情報集合に含まれた電力補正値を用いて、前記該当の情報集合によって定義された第２参照信号の予想受信電力を計算するステップと、
前記予想受信電力があらかじめ決定された値以上である第２参照信号に対してのみ検出を試みるステップと、
を含むことを特徴とする、請求項２に記載の干渉除去方法。
【請求項５】
前記一つ以上の第２参照信号に関する情報集合のうち少なくとも一つの集合は、前記少なくとも一つの集合のために参照する必要がある他の集合を指示する情報を含み、前記方法は、
前記指示する情報が含まれていると、前記参照する必要がある他の集合によって定義される第２参照信号が成功的に検出された場合にのみ、前記少なくとも一つの集合によって定義された第２参照信号に対する検出を試みるステップをさらに含むことを特徴とする、請求項２に記載の干渉除去方法。
【請求項６】
前記第１参照信号に関する情報集合及び前記第２参照信号に関する情報集合は、該当の参照信号ベースのデータチャネルの送信可能性を示すための値をさらに含むことを特徴とする、請求項２に記載の干渉除去方法。
【請求項７】
前記第１参照信号に関する情報集合は、ＣＲＳ（ｃｅｌｌ−ｓｐｅｃｉｆｉｃ  ｒｅｆｅｒｅｎｃｅ  ｓｉｇｎａｌ）に関する情報集合であり、
前記情報集合を識別するための識別子、前記干渉セルの物理セル識別子、前記ＣＲＳのためのアンテナポート数、及びＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）設定を含むことを特徴とする、請求項２に記載の干渉除去方法。
【請求項８】
前記第２参照信号に関する情報集合は、ＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）に関する情報集合であり、
前記情報集合を識別するための識別子、前記ＣＳＩ−ＲＳのためのアンテナポート数、前記ＣＳＩ−ＲＳが送信されるＲＥ位置及びサブフレームに対する設定、前記ＣＳＩ−ＲＳのためのシーケンス生成のためのスクランブリング識別子、前記ＣＳＩ−ＲＳと特定関係を持つＣＲＳに対する情報集合の識別子、前記特定関係と関連した類型（ｔｙｐｅ）、又は前記ＣＳＩ−ＲＳと特定関係を持つＣＲＳとの送信電力比率のうち少なくとも一つを含むことを特徴とする、請求項２に記載の干渉除去方法。
【請求項９】
前記第２参照信号に関する情報集合は、ＤＭ−ＲＳ（ｄｅｍｏｄｕｌａｔｉｏｎ−ｒｅｆｅｒｅｎｃｅ  ｓｉｇｎａｌ）に関する情報集合であり、
前記情報集合を識別するための識別子、前記ＤＭ−ＲＳのためのシーケンス生成のためのスクランブリング識別子、スクランブリング識別子フィールド値、前記ＤＭ−ＲＳのためのアンテナポートインデックス、前記ＤＭ−ＲＳと特定関係を持つＣＲＳ又はＣＳＩ−ＲＳとの送信電力比率、前記特定関係と関連した類型（ｔｙｐｅ）、前記ＤＭ−ＲＳと特定関係を持つＣＲＳに対する情報集合の識別子、又は前記ＤＭ−ＲＳと特定関係を持つＣＳＩ−ＲＳに関する情報集合の識別子のうち少なくとも一つを含むことを特徴とする、請求項２に記載の干渉除去方法。
【請求項１０】
無線通信システムにおいて干渉除去能力を有する端末であって、
無線周波数（Ｒａｄｉｏ  Ｆｒｅｑｕｅｎｃｙ；ＲＦ）ユニットと、
前記ＲＦユニットを制御するように構成されたプロセッサと、
を備え、
前記プロセッサは、セル間干渉を誘発する可能性のある干渉セルから送信される参照信号に関する情報を受信し、前記受信された参照信号に関する情報を用いて前記参照信号の検出を試みるように構成され、
前記参照信号に関する情報は、前記干渉セルと前記端末のサービングセルが同じサイクリックプレフィックス長を有し、互いに同期が取れている場合に受信されることを特徴とする、端末。
【発明の詳細な説明】
【技術分野】
【０００１】
本発明は、無線通信システムに関し、特に、無線通信システムにおいて干渉除去を支援するための方法及びそのための装置に関する。
【背景技術】
【０００２】
機器間(Ｍａｃｈｉｎｅ−ｔｏ−Ｍａｃｈｉｎｅ、Ｍ２Ｍ)通信と、高いデータ送信量を要求するスマートフォン、タブレットＰＣなどの様々な装置及び技術が出現及び普及されている。これに伴い、セルラー網で処理されることが要求されるデータ量も急増している。このように急増しているデータ処理要求量を満たすために、より多い周波数帯域を效率的に使用するための搬送波集成（ｃａｒｒｉｅｒ  ａｇｇｒｅｇａｔｉｏｎ；ＣＡ）技術、認知無線（ｃｏｇｎｉｔｉｖｅ  ｒａｄｉｏ）技術などと、限定された周波数内で送信されるデータ容量を増大させるための多重アンテナ技術、多重基地局協調技術などが発展している。また、ユーザ機器がその周辺でアクセスできるノードの密度が高くなる方向に通信環境が進展している。ノードとは、１つ以上のアンテナを有しており、ユーザ機器と無線信号を送信／受信できる固定した地点（ｐｏｉｎｔ）のことをいう。高い密度のノードを有する通信システムは、ノード間の協調によってより高い性能の通信サービスをユーザ機器に提供することができる。
【０００３】
複数のノードで同一の時間−周波数リソースを用いてユーザ機器と通信を行う多重ノード協調通信方式は、各ノードが独立した基地局として動作して相互協調無しでユーザ機器と通信を行う既存の通信方式に比べて、データ処理量において格段に優れた性能を示す。
【０００４】
多重ノードシステムは、各ノードが、基地局、アクセスポイント、アンテナ、アンテナグループ、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）として動作する、複数のノードを用いて協調通信を行う。アンテナが基地局に集中して位置している既存の中央集中型アンテナシステムと違い、一般に、多重ノードシステムでは複数のノードが一定間隔以上で離れて位置する。複数のノードは、各ノードの動作を制御したり、各ノードを介して送／受信されるデータをスケジューリングしたりする１つ以上の基地局或いは基地局コントローラ（ｃｏｎｔｒｏｌｌｅｒ）によって管理することができる。各ノードは、当該ノードを管理する基地局或いは基地局コントローラとケーブル或いは専用回線（ｄｅｄｉｃａｔｅｄ  ｌｉｎｅ）で接続される。
【０００５】
このような多重ノードシステムは、分散したノードが同時に異なったストリームを送／受信して単一又は複数のユーザ機器と通信できるという点で、一種のＭＩＭＯ（ｍｕｌｔｉｐｌｅ  ｉｎｐｕｔ  ｍｕｌｔｉｐｌｅ  ｏｕｔｐｕｔ）システムと見なすことができる。ただし、多重ノードシステムは様々な位置に分散しているノードを用いて信号を送信するため、既存の中央集中型アンテナシステムに備えられたアンテナに比べて、各アンテナがカバーすべき送信領域が縮減する。そのため、中央集中型アンテナシステムにおいてＭＩＭＯ技術を具現した既存システムに比べて、多重ノードシステムでは、各アンテナが信号を送信するために必要とする送信電力を減少させることができる。また、アンテナとユーザ機器間の送信距離が短縮するため、経路損失が減少し、データの高速送信が可能になる。これによって、セルラーシステムの送信容量及び電力効率を増大させることができ、セル内のユーザ機器の位置に関係なく、相対的に均一な品質の通信性能を保障することができる。また、多重ノードシステムでは、複数のノードに接続した基地局或いは基地局コントローラがデータ送信／受信に協調するため、送信過程で発生する信号損失が減少する。また、一定の距離以上で離れて位置したノード同士がユーザ機器と協調通信を行う場合、アンテナ間の相関度（ｃｏｒｒｅｌａｔｉｏｎ）及び干渉が軽減することとなる。したがって、多重ノード協調通信方式によれば、高い信号対雑音比（ｓｉｇｎａｌ  ｔｏ  ｉｎｔｅｒｆｅｒｅｎｃｅ−ｐｌｕｓ−ｎｏｉｓｅ  ｒａｔｉｏ、ＳＩＮＲ）が得られる。
【０００６】
このような多重ノードシステムの特長から、次世代移動通信システムにおいて基地局増設費用とバックホール（ｂａｃｋｈａｕｌ）網の保守費用を削減すると同時に、サービスカバレッジの拡大とチャネル容量及びＳＩＮＲの向上のために、多重ノードシステムが、既存の中央集中型アンテナシステムに加えて或いはそれに代えてセルラー通信の新しい基盤として台頭している。
【発明の概要】
【発明が解決しようとする課題】
【０００７】
本発明は、無線通信システムにおいて干渉除去を効率的に行うように支援するための方案を提供する。
【０００８】
また、本発明は、干渉を誘発する可能性があるセルからの特定参照信号に関する情報を干渉除去に活用する方案を提供する。
【０００９】
本発明で達成しようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【００１０】
無線通信システムにおいて干渉除去能力を有する端末のための干渉除去のための方法であって、前記方法は、セル間干渉を誘発する可能性のある干渉セルから送信される参照信号に関する情報を受信するステップと、前記受信された参照信号に関する情報を用いて前記参照信号の検出を試みるステップとを含むことができ、前記参照信号に関する情報は、前記干渉セルと前記端末のサービングセルが同じサイクリックプレフィックス長を有し、互いに同期が取れている場合に受信されてもよい。
【００１１】
追加又は代案として、前記参照信号に関する情報は、第１参照信号に関する情報集合、及び前記第１参照信号と特定関係を持つ一つ以上の第２参照信号に関する情報集合を含み、前記一つ以上の第２参照信号に関する情報集合のそれぞれは、該当の情報集合によって定義された第２参照信号が前記第１参照信号と前記特定関係を有することを示す情報を含むことができる。
【００１２】
追加又は代案として、前記特定関係は、前記第２参照信号が送信されるアンテナポートと前記第１参照信号が送信されるアンテナポートとがＱＣＬ（ｑｕａｓｉ  ｃｏ−ｌｏｃａｔｅｄ）された関係であってもよい。
【００１３】
追加又は代案として、前記方法は、前記第１参照信号に関する情報を用いて第１参照信号を検出するステップと、前記検出された第１参照信号の受信電力及び前記一つ以上の第２参照信号に関する情報集合に含まれた電力補正値を用いて、前記該当の情報集合によって定義された第２参照信号の予想受信電力を計算するステップと、前記予想受信電力があらかじめ決定された値以上である第２参照信号に対してのみ検出を試みるステップとを含むことができる。
【００１４】
追加又は代案として、前記一つ以上の第２参照信号に関する情報集合のうち少なくとも一つの集合は、前記少なくとも一つの集合のために参照する必要がある他の集合を指示する情報を含み、前記方法は、前記指示する情報が含まれていると、前記参照する必要がある他の集合によって定義される第２参照信号が成功的に検出された場合にのみ、前記少なくとも一つの集合によって定義された第２参照信号に対する検出を試みるステップをさらに含むことができる。
【００１５】
追加又は代案として、前記第１参照信号に関する情報集合及び前記第２参照信号に関する情報集合は、該当の参照信号ベースのデータチャネルの送信可能性を示すための値をさらに含むことができる。
【００１６】
追加又は代案として、前記第１参照信号に関する情報集合は、ＣＲＳ（ｃｅｌｌ−ｓｐｅｃｉｆｉｃ  ｒｅｆｅｒｅｎｃｅ  ｓｉｇｎａｌ）に関する情報集合であり、前記情報集合を識別するための識別子、前記干渉セルの物理セル識別子、前記ＣＲＳのためのアンテナポート数及びＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）設定を含むことができる。
【００１７】
追加又は代案として、前記第２参照信号に関する情報集合は、ＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）に関する情報集合であり、前記情報集合を識別するための識別子、前記ＣＳＩ−ＲＳのためのアンテナポート数、前記ＣＳＩ−ＲＳが送信されるＲＥ位置及びサブフレームに対する設定、前記ＣＳＩ−ＲＳのためのシーケンス生成のためのスクランブリング識別子、前記ＣＳＩ−ＲＳと特定関係を持つＣＲＳに対する情報集合の識別子、前記特定関係と関連した類型（ｔｙｐｅ）、又は前記ＣＳＩ−ＲＳと特定関係を持つＣＲＳとの送信電力比率のうち少なくとも一つを含むことができる。
【００１８】
追加又は代案として、前記第２参照信号に関する情報集合は、ＤＭ−ＲＳ（ｄｅｍｏｄｕｌａｔｉｏｎ−ｒｅｆｅｒｅｎｃｅ  ｓｉｇｎａｌ）に関する情報集合であり、前記情報集合を識別するための識別子、前記ＤＭ−ＲＳのためのシーケンス生成のためのスクランブリング識別子、スクランブリング識別子フィールド値、前記ＤＭ−ＲＳのためのアンテナポートインデックス、前記ＤＭ−ＲＳと特定関係を持つＣＲＳ又はＣＳＩ−ＲＳとの送信電力比率、前記特定関係と関連した類型（ｔｙｐｅ）、前記ＤＭ−ＲＳと特定関係を持つＣＲＳに対する情報集合の識別子、又は前記ＤＭ−ＲＳと特定関係を持つＣＳＩ−ＲＳに関する情報集合の識別子のうち少なくとも一つを含むことができる。
【００１９】
本発明の他の実施例に係る無線通信システムにおいて干渉除去能力を有する端末であって、前記端末は、無線周波数（Ｒａｄｉｏ  Ｆｒｅｑｕｅｎｃｙ；ＲＦ）ユニットと、前記ＲＦユニットを制御するように構成されたプロセッサとを備えることができ、前記プロセッサは、セル間干渉を誘発する可能性のある干渉セルから送信される参照信号に関する情報を受信し、前記受信された参照信号に関する情報を用いて前記参照信号の検出を試みるように構成され、前記参照信号に関する情報は、前記干渉セルと前記端末のサービングセルが同じサイクリックプレフィックス長を有し、互いに同期が取れている場合に受信されてもよい。
【００２０】
以上の課題解決方法は、本発明の実施例の一部に過ぎず、本願発明の技術的特徴が反映された様々な実施例が、当該技術の分野における通常の知識を有する者にとっては、以下に詳述する本発明の詳細な説明に基づいて導出され、理解されるであろう。
【発明の効果】
【００２１】
本発明の一実施例によれば、無線通信システムにおいて干渉除去を効率的に行うようにすることができる。
【００２２】
また、本発明の一実施例は、干渉を誘発する可能性があるセルからの特定参照信号に関する情報を端末に知らせることによってより効率的な干渉除去を期待することができる。
【００２３】
本発明から得られる効果は、以上に言及した効果に制限されず、言及していない他の効果は、以下の記載から、本発明の属する技術の分野における通常の知識を有する者に明確に理解されるであろう。
【図面の簡単な説明】
【００２４】
本発明に関する理解を助けるために詳細な説明の一部として含まれる添付の図面は、本発明に関する実施例を提供し、詳細な説明と共に本発明の技術的思想を説明する。
【００２５】
【図１】図１は、無線通信システムで用いられる無線フレーム構造の一例を示す図である。
【００２６】
【図２】図２は、無線通信システムで下りリンク／上りリンク（ＤＬ／ＵＬ）スロット構造の一例を示す図である。
【００２７】
【図３】図３は、３ＧＰＰ  ＬＴＥ／ＬＴＥ−Ａシステムで用いられる下りリンク（ｄｏｗｎｌｉｎｋ、ＤＬ）サブフレーム構造を例示する図である。
【００２８】
【図４】図４は、３ＧＰＰ  ＬＴＥ／ＬＴＥ−Ａシステムで用いられる上りリンク（ｕｐｌｉｎｋ、ＵＬ）サブフレーム構造の一例を示す図である。
【００２９】
【図５】図５は、本発明の実施例が適用される様々なＭＩＭＯ（Ｍｕｌｔｉｐｌｅ  Ｉｎｐｕｔ  Ｍｕｌｔｉｐｌｅ  Ｏｕｔｐｕｔ）環境を例示する図である。
【００３０】
【図６】図６は、本発明の実施例によるＲＳ補助情報間の関係を示す図である。
【００３１】
【図７】図７は、本発明の実施例による動作を例示する図である。
【００３２】
【図８】図８は、本発明の実施例を具現するための装置のブロック図である。
【発明を実施するための形態】
【００３３】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００３４】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００３５】
本発明において、ユーザ機器（Ｕｓｅｒ  Ｅｑｕｉｐｍｅｎｔ：ＵＥ）は、固定していても、移動性を有していてもよいもので、基地局（ｂａｓｅ  ｓｔａｔｉｏｎ：ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）などと呼ぶこともできる。以下の本発明に関する説明てば、ＢＳをｅＮＢと総称する。
【００３６】
本発明でいうノード（ｎｏｄｅ）とは、ＵＥと通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ、ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ、ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイ（ｏｖｅｒｌａｙ）する形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３７】
以下に説明する本発明の多重ノードシステムにおいて、複数のノードに接続した１つ以上のｅＮＢ或いはｅＮＢコントローラが、上記複数のノードの一部又は全てを介してＵＥに同時に信号を送信或いは受信するように上記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）と異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３８】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちのＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００３９】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ  ＬＴＥ−Ａベースのシステムにおいて、ＵＥは、特定ノードからの下りリンクチャネル状態を、上記特定ノードのアンテナポートが上記特定ノードに割り当てられたＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００４０】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００４１】
図１は、無線通信システムで用いられる無線フレーム構造の一例を示す図である。特に、図１（ａ）は、３ＧＰＰ  ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示しており、図１（ｂ）は、３ＧＰＰ  ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示している。
【００４２】
図１を参照すると、３ＧＰＰ  ＬＴＥ／ＬＴＥ−Ａシステムで用いられる無線フレームは、１０ｍｓ（３０７２００Ｔｓ）の長さを有し、１０個の均等なサイズのサブフレーム（ｓｕｂｆｒａｍｅ、ＳＦ）で構成される。1無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００４３】
無線フレームは、デュプレックス（ｄｕｐｌｅｘ）技法によって別々に設定（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００４４】
表１は、ＴＤＤで、無線フレームにおけるサブフレームのＤＬ−ＵＬ構成（ｃｏｎｆｉｇｕｒａｔｉｏｎ）を例示するものである。
【００４５】
【表１】
2016521085.tif 000003
【００４６】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成を例示するものである。
【００４７】
【表２】
2016521085.tif 000004
【００４８】
図２は、無線通信システムにおいて下りリンク／上りリンク（ＤＬ／ＵＬ）スロット構造の一例を示す図である。特に、図２は、３ＧＰＰ  ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００４９】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味することもある。図２を参照すると、各スロットで送信される信号は、
【化１】
2016521085.tif 000005
個の副搬送波（ｓｕｂｃａｒｒｉｅｒ）と
【化２】
2016521085.tif 000006
個のＯＦＤＭシンボルとで構成されるリソース格子（ｒｅｓｏｕｒｃｅ  ｇｒｉｄ）と表現することができる。ここで、
【化３】
2016521085.tif 000007
は、下りリンクスロットにおけるリソースブロック（ｒｅｓｏｕｒｃｅ  ｂｌｏｃｋ、ＲＢ）の個数を表し、
【化４】
2016521085.tif 000008
は、ＵＬスロットにおけるＲＢの個数を表す。
【化５】
2016521085.tif 000009
と
【化６】
2016521085.tif 000010
は、ＤＬ送信帯域幅とＵＬ送信帯域幅にそれぞれ依存する。
【化７】
2016521085.tif 000011
は、下りリンクスロットにおけるＯＦＤＭシンボルの個数を表し、
【化８】
2016521085.tif 000012
は、ＵＬスロットにおけるＯＦＤＭシンボルの個数を表す。
【化９】
2016521085.tif 000013
は、１つのＲＢを構成する副搬送波の個数を表す。
【００５０】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７  ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
【化１０】
2016521085.tif 000014
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及びＤＣ（Ｄｉｒｅｃｔ  Ｃｕｒｒｅｎｔ）成分のためのヌル（ｎｕｌｌ）副搬送波に分類することができる。  ＤＣ成分のためのヌル副搬送波は、未使用のまま残される副搬送波であり、ＯＦＤＭ信号生成過程或いは周波数アップ変換過程で搬送波周波数（ｃａｒｒｉｅｒ  ｆｒｅｑｕｅｎｃｙ、ｆ０）にマップされる。搬送波周波数は中心周波数（ｃｅｎｔｅｒ  ｆｒｅｑｕｅｎｃｙ、ｆｃ）と呼ばれることもある。
【００５１】
１  ＲＢは、時間ドメインで
【化１１】
2016521085.tif 000015
個（例えば、７個）の連続するＯＦＤＭシンボルと定義され、周波数ドメインで
【化１２】
2016521085.tif 000016
個（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ、ＲＥ）或いはトーン（ｔｏｎｅ）という。したがって、１つのＲＢは、
【化１３】
2016521085.tif 000017
個のリソース要素で構成される。リソース格子における各リソース要素は、１つのスロットにおけるインデックス対（ｋ，１）によって固有に定義できる。ｋは、周波数ドメインで０から
【化１４】
2016521085.tif 000018
−１まで与えられるインデックスであり、ｌは、時間ドメインで０から
【化１５】
2016521085.tif 000019
−１まで与えられるインデックスである。
【００５２】
１サブフレームにおいて
【化１６】
2016521085.tif 000020
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ、ＰＲＢ）対（ｐａｉｒ）という。ＰＲＢ対を構成する２個のＲＢは、同一のＰＲＢ番号（或いは、、ＰＲＢインデックスともいう）を有する。ＶＲＢは、リソース割当のために導入された一種の論理的リソース割当単位である。ＶＲＢはＰＲＢと同じサイズを有する。ＶＲＢをＰＲＢにマップする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マップされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０からＮＤＬＶＲＢ−１順に番号が与えられ、ＮＤＬＶＲＢ＝ＮＤＬＲＢである。したがって、局部マップ方式によれば、同一のＶＲＢ番号を有するＶＲＢが第１のスロットと第２のスロットにおいて、同一ＰＲＢ番号のＰＲＢにマップされる。一方、分散タイプのＶＲＢはインターリービングを経てＰＲＢにマップされる。そのため、同一のＶＲＢ番号を有する分散タイプのＶＲＢは、第１のスロットと第２のスロットにおいて互いに異なる番号のＰＲＢにマップされることがある。サブフレームの２つのスロットに１個ずつ位置し、同一のＶＲＢ番号を有する２個のＰＲＢをＶＲＢ対と称する。
【００５３】
図３は、３ＧＰＰ  ＬＴＥ／ＬＴＥ−Ａシステムで用いられる下りリンク（ｄｏｗｎｌｉｎｋ、ＤＬ）サブフレーム構造を例示する図である。
【００５４】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨが割り当てられるデータ領域に該当する。以下、ＤＬサブフレームでＰＤＳＣＨ送信に利用可能なリソース領域をＰＤＳＣＨ領域と称する。３ＧＰＰ  ＬＴＥで用いられるＤＬ制御チャネルの例としては、ＰＣＦＩＣＨ、ＰＤＣＣＨ、ＰＨＩＣＨなどを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５５】
ＰＤＣＣＨを介して送信される制御情報を上りリンク制御情報（ＤＣＩ）と呼ぶ。ＤＣＩは、ＵＥ又はＵＥグループのためのリソース割当情報及び他の制御情報を含む。例えば、ＤＣＩは、ＤＬ共有チャネル（ｄｏｗｎｌｉｎｋ  ｓｈａｒｅｄ  ｃｈａｎｎｅｌ、ＤＬ−ＳＣＨ）の送信フォーマット及びリソース割当情報、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割当情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄｃｈａｎｎｅｌ、ＤＬ−ＳＣＨ）の送信フォーマット（Ｔｒａｎｓｍｉｔ  Ｆｏｒｍａｔ）及びリソース割当情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ  ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割当（ＲＢ  ａｌｌｏｃａｔｉｏｎ）、ＭＣＳ（ｍｏｄｕｌａｔｉｏｎ  ｃｏｄｉｎｇｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当インデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００５６】
一般に、ＵＥに構成された送信モード（ｔｒａｎｓｍｉｓｓｉｏｎ  ｍｏｄｅ、ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５７】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割当ユニット（ｕｎｉｔ）である。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１  ＣＣＥは９個のＲＥＧに対応し、１  ＲＥＧは４個のＲＥに対応する。３ＧＰＰ  ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ  ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。次表は、探索空間を定義する集成レベルを例示するものである。
【００５８】
【表３】
2016521085.tif 000021
【００５９】
１つのＰＤＣＣＨ候補は、ＣＣＥ集成レベル（ａｇｇｒｅｇａｔｉｏｎ  ｌｅｖｅｌ）によって１、２、４又は８個のＣＣＥに対応する。ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、上記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））という。
【００６０】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨを割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、上記ＵＥ或いはＵＥグループがどのようにＰＤＳＣＨデータを受信して復号すればよいかなどを示す情報がＰＤＣＣＨに含まれて送信される。例えば、特定ＰＤＣＣＨが“Ａ”というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、“Ｂ”という無線リソース（例、周波数位置）及び“Ｃ”という送信形式情報（例、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、“Ａ”というＲＮＴＩを有しているＵＥはＰＤＣＣＨを検出し、受信したＰＤＣＣＨの情報によって“Ｂ”と“Ｃ”で示されるＰＤＳＣＨを受信する。
【００６１】
ＵＥがｅＮＢから受信した信号を復調するには、データ信号と比較する参照信号（ｒｅｆｅｒｅｎｃｅ  ｓｉｇｎａｌ、ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ  ＲＳ）とに区別される。ｅＮＢが特定ＵＥのための下りリンクデータの復調のために送信するＤＭ  ＲＳをＵＥ−特定的（ＵＥ−ｓｐｅｃｉｆｉｃ）ＲＳと特別に称することもできる。下りリンクでＤＭ  ＲＳとＣＲＳは共に送信されてもよいが、いずれか一方のみが送信されてもよい。ただし、下りリンクでＣＲＳ無しにＭ  ＲＳのみを送信される場合、データと同じプリコーダを適用して送信されるＤＭ  ＲＳは復調の目的にのみ用いることができるため、チャネル測定用ＲＳを別途に提供しなければならない。例えば、３ＧＰＰ  ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００６２】
図４は、３ＧＰＰ  ＬＴＥ／ＬＴＥ−Ａシステムで用いられる上りリンク（ＵＬ）サブフレーム構造の一例を示す図である。
【００６３】
図４を参照すると、ＵＬサブフレームは、周波数ドメインで制御領域とデータ領域とに区別できる。１つ又は複数のＰＵＣＣＨを上りリンク制御情報（ＵＣＩ）を運ぶために制御領域に割り当てることができる。１つ又は複数のＰＵＳＣＨをユーザデータを運ぶためにＵＬサブフレームのデータ領域に割り当てることができる。
【００６４】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマップされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００６５】
ＰＵＣＣＨは、次の制御情報を送信するために用いることができる。
【００６６】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００６７】
−  ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００６８】
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００６９】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。下記の表４に、ＬＴＥ／ＬＴＥ−ＡシステムでＰＵＣＣＨフォーマットとＵＣＩとのマッピング関係を示す。
【００７０】
【表４】
2016521085.tif 000022
【００７１】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ＣＳＩ）を運ぶために用いられ、ＰＵＣＣＨフォーマット３系列はＡＣＫ／ＮＡＣＫ情報を送信するために用いられる。
【００７２】
ＣｏＭＰ（Ｃｏｏｒｄｉｎａｔｅｄ  Ｍｕｌｔｉ−Ｐｏｉｎｔ  ｔｒａｎｓｍｉｓｓｉｏｎ  ａｎｄ  ｒｅｃｅｐｔｉｏｎ）一般
【００７３】
３ＧＰＰ  ＬＴＥ−Ａシステムの改善されたシステム性能の要求条件に応じて、ＣｏＭＰ送受信技術（ｃｏ−ＭＩＭＯ、共同（ｃｏｌｌａｂｏｒａｔｉｖｅ）ＭＩＭＯ、又はネットワークＭＩＭＯなどと表現することもできる）が提案されている。ＣｏＭＰ技術は、セル−境界（ｃｅｌｌ−ｅｄｇｅ）に位置しているＵＥの性能を増大させ、平均セクター収率（ｔｈｒｏｕｇｈｐｕｔ）を増加させることができる。
【００７４】
一般に、周波数再使用因子（ｆｒｅｑｕｅｎｃｙ  ｒｅｕｓｅ  ｆａｃｔｏｒ）が１である多重−セル環境で、セル−間干渉（Ｉｎｔｅｒ−Ｃｅｌｌ  Ｉｎｔｅｒｆｅｒｅｎｃｅ；ＩＣＩ）によって、セル−境界に位置しているＵＥの性能と平均セクター収率が減少することがある。このようなＩＣＩを低減するために、既存のＬＴＥ／ＬＴＥ−ＡシステムではＵＥ特定電力制御を用いた部分周波数再使用（ｆｒａｃｔｉｏｎａｌ  ｆｒｅｑｕｅｎｃｙ  ｒｅｕｓｅ；ＦＦＲ）のような単純な受動的技法を用いて、干渉によって制限を受けた環境でセル−境界に位置しているＵＥが適切な収率性能を持つようにする方法が適用された。しかし、セル当たりの周波数リソースの使用を減らすよりは、ＩＣＩを低減したり、ＩＣＩをＵＥの所望する信号として再使用することが望ましいといえる。上記のような目的を達成するために、ＣｏＭＰ送信技法を適用することができる。
【００７５】
下りリンクの場合に適用可能なＣｏＭＰ技法は、大きく、ジョイント−プロセシング（ｊｏｉｎｔ  ｐｒｏｃｅｓｓｉｎｇ；ＪＰ）技法と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）技法とに分類することができる。
【００７６】
ＪＰ技法は、ＣｏＭＰ協調単位におけるそれぞれのポイント（基地局）でデータを用いることができる。ＣｏＭＰ協調単位は、協調送信技法に用いられる基地局の集合を意味し、ＣｏＭＰ集合と呼ぶこともできる。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類することができる。
【００７７】
ジョイント送信技法は、ＰＤＳＣＨが一度に複数個のポイント（ＣｏＭＰ協調単位の一部又は全部）から送信される技法を意味する。すなわち、単一のＵＥに送信されるデータを複数個の送信ポイントから同時に送信することができる。ジョイント送信技法によれば、コヒーレントに（ｃｏｈｅｒｅｎｔｌｙ）又はノン−コヒーレントに（ｎｏｎ−ｃｏｈｅｒｅｎｔｌｙ）受信信号の品質を向上させることができ、また、他のＵＥに対する干渉を能動的に消去することもできる。
【００７８】
動的セル選択技法は、ＰＤＳＣＨが一度に（ＣｏＭＰ協調単位における）一つのポイントから送信される技法を意味する。すなわち、特定時点で単一のＵＥに送信されるデータを一つのポイントから送信し、その時点に協調単位における他のポイントは当該ＵＥに対してデータ送信をしない。このとき、当該ＵＥにデータを送信するポイントは動的に選択することができる。
【００７９】
一方、ＣＳ／ＣＢ技法によれば、複数のＣｏＭＰ協調単位が単一のＵＥに対するデータ送信のビームフォーミングを協調的に行うことができる。ここで、データはサービングセルでのみ送信するが、ユーザスケジューリング／ビームフォーミングは、該当のＣｏＭＰ協調単位におけるセルの協調によって決定することができる。
【００８０】
一方、上りリンクの場合に、協調（ｃｏｏｒｄｉｎａｔｅｄ）多重−ポイント受信は、地理的に離れている複数個のポイントの協調によって送信された信号を受信することを意味する。上りリンクの場合に適用可能なＣｏＭＰ技法は、ジョイント受信（Ｊｏｉｎｔ  Ｒｅｃｅｐｔｉｏｎ；ＪＲ）及び協調スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）に分類することができる。
【００８１】
ＪＲ技法は、ＰＵＳＣＨを介して送信された信号が複数個の受信ポイントで受信されることを意味し、ＣＳ／ＣＢ技法は、ＰＵＳＣＨが一つのポイントでのみ受信されるが、ユーザスケジューリング／ビームフォーミングはＣｏＭＰ協調単位におけるセルの協調によって決定されることを意味する。
【００８２】
なお、ＵＬポイント（すなわち、受信ポイント（ｒｅｃｅｉｖｉｎｇ  ｐｏｉｎｔ；ＲＰ））が複数となる場合をＵＬ  ＣｏＭＰと呼び、ＤＬポイント（すなわち、送信ポイント（ｔｒａｎｓｍｉｔｔｉｎｇ  ｐｏｉｎｔ；ＴＰ））が複数となる場合をＤＬ  ＣｏＭＰと呼ぶこともできる。
【００８３】
Ｅｎｈａｎｃｅｄ−ＰＤＣＣＨ（ＥＰＤＣＣＨ）一般
【００８４】
ＬＴＥリリース１１以降のＬＴＥシステムでは、ＣｏＭＰ（Ｃｏｏｒｄｉｎａｔｅ  Ｍｕｌｔｉ  Ｐｏｉｎｔ）、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）などによるＰＤＣＣＨの容量不足、及びセル間干渉（ｉｎｔｅｒ−ｃｅｌｌ  ｉｎｔｅｒｆｅｒｅｎｃｅ）によるＰＤＣＣＨ性能減少などに対する解決策として、従来のＰＤＳＣＨ領域を通して送信可能なＥＰＤＣＣＨ（Ｅｎｈａｎｃｅｄ−ＰＤＣＣＨ）が考慮されている。また、ＥＰＤＣＣＨではプリコーディング（ｐｒｅ−ｃｏｄｉｎｇ）利得などを得るために、既存のＣＲＳベースのＰＤＣＣＨと違い、ＤＭＲＳに基づいてチャネル推定を行うことができる。
【００８５】
ＥＰＤＣＣＨ送信は、ＥＰＤＣＣＨ送信に用いられるＰＲＢペアの構成によって局部型（ｌｏｃａｌｉｚｅｄ）ＥＰＤＣＣＨ送信と分散型（ｄｉｓｔｒｉｂｕｔｅｄ）ＥＰＤＣＣＨ送信とに区別することができる。局部型ＥＰＤＣＣＨ送信は、一つのＤＣＩ送信に用いられるＥＣＣＥが周波数ドメインにおいて隣接している場合を意味し、ビームフォーミング利得を得るために特定プリコーディングを適用することができる。例えば、局部型ＥＰＤＣＣＨ送信は、集合レベルに該当する個数の連続したＥＣＣＥに基づくことができる。一方、分散型ＥＰＤＣＣＨ送信は、一つのＥＰＤＣＣＨが周波数ドメインにおいて分離されたＰＲＢペアで送信されることを意味し、周波数ダイバーシティ側面の利得がある。例えば、分散型ＥＰＤＣＣＨ送信は、周波数ドメインにおいて分離されたＰＲＢペアのそれぞれに含まれた４個のＥＲＥＧからなるＥＣＣＥに基づくことができる。
【００８６】
端末は、ＥＰＤＣＣＨを介して制御情報（ＤＣＩ）を受信／取得するために、既存のＬＴＥ／ＬＴＥ−Ａシステムと同様にブラインド復号を行うことができる。より詳しくは、端末は、設定された送信モードに該当するＤＣＩフォーマットのために、集合レベル別にＥＰＤＣＣＨ候補のセットに対して復号を試みる（モニタリングする）ことができる。ここで、モニタリングの対象となるＥＰＤＣＣＨ候補のセットをＥＰＤＣＣＨ端末特定探索空間と呼ぶことができ、この探索空間は、集合レベル別に設定／構成することができる。また、集合レベルは、前述した既存のＬＴＥ／ＬＴＥ−Ａシステムとはやや異なり、サブフレームタイプ、ＣＰの長さ、ＰＲＢペア内の可用リソース量などによって｛１，２，４，８，１６，３２｝が可能である。
【００８７】
ＥＰＤＣＣＨが設定された（ｃｏｎｆｉｇｕｒｅｄ）端末の場合、ＰＲＢペアセットに含まれたＲＥをＥＲＥＧにインデクシングし、このＥＲＥＧをさらにＥＣＣＥ単位にインデクシングする。このインデクシングされたＥＣＣＥに基づいて、探索空間を構成するＥＰＤＣＣＨ候補を決定し、ブラインド復号を行うことによって、制御情報を受信することができる。ここで、ＥＲＥＧは既存ＬＴＥ／ＬＴＥ−ＡのＲＥＧに、ＥＣＣＥはＣＣＥに対応する概念であり、一つのＰＲＢペアには１６個のＥＲＥＧを含むことができる。
【００８８】
また、各サービングセルに対して、上位層シグナリングは、１つのＵＥがＰＤＣＣＨモニタリングのための１つ又は２つのＥＰＤＣＣＨ  ＰＲＢセットを設定することができる。
【００８９】
３ＧＰＰ  ＬＴＥ  Ｒｅｌ−１１においてＣｏＭＰ技法の適用対象となるＵＥは、ＣｏＭＰ測定集合（ｍｅａｓｕｒｅｍｅｎｔ  ｓｅｔ）として定義されたＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）リソースを用いて、暫定的にＣｏＭＰに参加できるＴＰに対するチャネルを推定することができ、該推定したチャネル値に基づいてＰＭＩ（ｐｒｅｃｏｄｉｎｇ  ｍａｔｒｉｘ  ｉｎｄｉｃａｔｏｒ）、ＣＱＩ（ｃｈａｎｎｅｌ  ｑｕａｌｉｔｙ  ｉｎｄｉｃａｔｏｒ）、ＲＩ（ｒａｎｋ  ｉｎｄｉｃａｔｏｒ）などのＣＳＩを自身のサービングセルにフィードバックする。ネットワークではフィードバックされたＣＳＩ情報に基づいて相対的にチャネル品質に優れたＴＰを選択し、当該ＵＥにデータ送信を行うようにするＤＰＳ（ｄｙｎａｍｉｃ  ｐｏｉｎｔ  ｓｅｌｅｃｔｉｏｎ）技法、実際にＣｏＭＰに参加するＴＰがスケジューリング及びビームフォーミングを制御して相互干渉を減らすＣＳ／ＣＢ（ｃｏｏｒｄｉｎａｔｅｄ  ｓｃｈｅｄｕｌｉｎｇ／ｃｏｏｒｄｉｎａｔｅｄ  ｂｅａｍｆｏｒｍｉｎｇ）技法、実際にＣｏＭＰに参加するＴＰが同一データをＵＥに送信するＪＴ（ｊｏｉｎｔ  ｔｒａｎｓｍｉｓｓｉｏｎ）技法などを設定することができる。
【００９０】
本発明は、干渉除去（ｉｎｔｅｒｆｅｒｅｎｃｅ  ｃａｎｃｅｌｌａｔｉｏｎ；ＩＣ）能力を有する高性能受信器を具備したＵＥの受信信号性能の向上のためにネットワーク（又は、ｅＮＢ）が提供する情報及びネットワーク間協調技法に関する。
【００９１】
一般に、セルラー（ｃｅｌｌｕｌａｒ）移動通信システムは、都心環境でセル間干渉によって干渉−制限されたシステム（ｉｎｔｅｒｆｅｒｅｎｃｅ−ｌｉｍｉｔｅｄ  ｓｙｓｔｅｍ）であり、システム容量の限界点に到達する。また、多重送受信アンテナ送信技法、すなわち、ＳＵ−ＭＩＭＯ又はＭＵ−ＭＩＭＯ送信技法を適用して一つのｅＮＢで多重ビームの多重−レイヤ信号を送信する場合に、セル内のレイヤ間干渉もシステム容量の限界を決定づける主な要因の一つである。そこで、セル間干渉及びセル内干渉を低減するために協調送信及び高性能受信技法の標準化と開発の重要性が台頭しており、そのために多い努力を傾けている。
【００９２】
下りリンクＣｏＭＰ技法は、一般に、受信機から報告されたチャネル状態情報に基づいて送信機でセル間干渉及びセル内干渉が最小化するように送信ビームを設定する技法であり、データ受信過程でＵＥの複雑度を大きく増加させることはないが、ＣｏＭＰ技法の性能がチャネル状態情報報告の正確度に大きく左右される。これと違い、高性能受信技法は、受信端で干渉信号の特徴を用いてより良好な受信性能を得る技法であり、ＵＥが自身にスケジュールされた信号（すなわち、要求される信号）と共に送信される干渉信号に関する情報をどのように取得するかが重要である。高性能受信技法の代表例に
【００９３】
−  線形ＭＭＳＥ  ＩＲＣ受信器、
【００９４】
−  最尤（Ｍａｘｉｍｕｍ  ｌｉｋｅｌｉｈｏｏｄ）検出受信器、
【００９５】
−  干渉除去受信器
【００９６】
などがあり、性能が良いほど、より多い干渉信号に関する情報を必要とする。例えば、性能が最も良いものと知られている反復復号干渉除去受信器（ｉｔｅｒａｔｉｖｅ  ｄｅｃｏｄｉｎｇ  ｉｎｔｅｒｆｅｒｅｎｃｅ  ｃａｎｃｅｌｌａｔｉｏｎ  ｒｅｃｅｉｖｅｒ）は、ＵＥが干渉信号を復号し、干渉除去のために干渉信号を再生性（ｒｅｇｅｎｅｒａｔｉｏｎ）しなければならことから、干渉信号の復号のための情報が全て必要である。
【００９７】
本明細書では、干渉信号を復号（ｄｅｃｏｄｅ）せずに復調（ｄｅｍｏｄｕｌａｔｉｏｎ）した後、受信信号から上記干渉信号を除去する技法を中心に説明する。特に、コ−スケジューリング（ｃｏ−ｓｃｈｅｄｕｌｉｎｇ）された干渉信号を除去する方式として、ＤＭ−ＲＳベースでＰＤＳＣＨが送信されたという前提下に、干渉信号のＤＭ−ＲＳを用いた干渉除去方式を中心に説明する。
【００９８】
ただし、特定ＵＥにスケジュールされたＲＢにコ−スケジュールされたＰＤＳＣＨが干渉信号であるとすれば、干渉信号の除去のためにｅＮＢは干渉信号に関する情報をＵＥに提供しなければならない。ＤＭ−ＲＳを用いて干渉レベルを推定するためには干渉信号のＤＭ−ＲＳのシーケンスをＵＥが知る必要があり、そのために、ｅＮＢは干渉信号のＤＭ−ＲＳシーケンスのシード（ｓｅｅｄ）情報を上記ＵＥに提供しなければならず、当該ＵＥはＤＭ−ＲＳシーケンスのシード情報を用いて干渉信号を推定／除去する。
【００９９】
まず、特定ＵＥに受信される干渉を大別すると、特定ＵＥ自身にスケジュールされる他のレイヤの信号がありうる。図５の（ａ）及び（ｂ）に示すように、単一セルＳＵ−ＭＩＭＯ及び多重セルＳＵ−ＭＩＭＯの場合には、特定ＲＢにコ−スケジューリング（ｃｏ−ｓｃｈｅｄｕｌｉｎｇ）される他のレイヤからの干渉を除去しなければならない。このような場合には、ＵＥに送信されるＤＬ制御チャネルに干渉除去のための必要情報が全て含まれている。
【０１００】
図５の（ａ）及び（ｂ）とは違い、図５の（ｃ）及び（ｄ）では、ＵＥがＰＤＳＣＨに関する制御情報を受信する際に干渉信号に関する制御情報を受信できない場合を示している。図５の（ｃ）及び（ｄ）ではそれぞれ、単一セルＭＵ−ＭＩＭＯ及び多重セルＭＵ−ＭＩＭＯの例を示す。本明細書では、図５の（ｃ）及び（ｄ）に示す例を中心に、ＵＥの受信器の干渉除去性能を向上させる技法を提案する。
【０１０１】
以下、本発明の実施例を説明し、本明細書で、ＵＥが受信する受信信号は、要求される（ｄｅｓｉｒｅｄ）信号と干渉信号で構成されると仮定する。すなわち、要求される信号は、当該ＵＥにスケジュールされた下りリンク信号であり、干渉信号は、当該ＵＥ以外のＵＥにスケジュールされた下りリンク信号である。
【０１０２】
また、本明細書で、上記干渉信号を受信するようにスケジュールされたＵＥを“干渉ＵＥ”と称する。
【実施例１】
【０１０３】
第１実施例
【０１０４】
まず、図５の（ｃ）の単一セルＭＵ−ＭＩＭＯの場合、スケジューリングが１つのｅＮＢで行われるため、ｅＮＢ間の協調は必要でない。要求される信号（すなわち、ＵＥにスケジュールされた信号）と干渉信号がいずれも単一ｅＮＢから送信されるため、この２種類の信号がＤＭ−ＲＳベースの信号である場合、当該信号のＤＭ−ＲＳシーケンスのシード値は単一集合｛
【化１７】
2016521085.tif 000023
｝から選択される。したがって、ＵＥが干渉信号に用いられたｎＳＣＩＤ＝｛０，１｝を知ると、ＤＭ−ＲＳシーケンスを生成することができ、該生成されたＤＭ−ＲＳシーケンスを用いて干渉信号のチャネル値を推定することができる。なお、ｅＮＢは、スケジュールされたＰＤＳＣＨ送信ＰＲＢに用いられたＤＭ−ＲＳ密度を知らせるために、要求される信号のランク（ｒａｎｋ）の他、当該ｅＮＢが当該サブフレームでスケジューリングするＰＤＳＣＨの全体ランクをシグナルしなければならない。さらに、上記ｅＮＢは当該サブフレームでｎＳＣＩＤ別に用いられたランク（或いは、スケジュールされたレイヤの数）、そして特定ＵＥへの要求される信号に関する情報の他、干渉ＵＥに送信される干渉信号の変調次数（ｍｏｄｕｌａｔｉｏｎ  ｏｒｄｅｒ）を、ＵＥに知らせることができる。干渉信号が２つのコードワードで送信される場合、そして変調次数が２つのコードワードで同一である場合、１つの変調次数値を知らせるともに、変調次数が同一であるという情報を送信することによって、シグナリングオーバーヘッドを低減させることができる。
【０１０５】
要するに、図５の（ｃ）のような実施例において、ｅＮＢは次のような情報をＵＥに提供し、上記ＵＥが干渉信号のＲＳを用いて干渉を推定するようにすることができる。
【０１０６】
・干渉信号がＤＭ−ＲＳベースのＰＤＳＣＨである場合、
【０１０７】
・干渉信号のＤＭ−ＲＳシーケンス生成に用いられたｎＳＣＩＤ又は要求される信号に用いられていないｎＳＣＩＤが干渉信号に用いられたか否か
【０１０８】
・ｎＳＣＩＤ別にレイヤ（ランク）の数
【０１０９】
・当該サブフレームにおけるスケジュールされた全体ランク数
【０１１０】
・コードワード（ｎＳＣＩＤ）別に変調次数
【０１１１】
・干渉信号がＣＲＳベースのＰＤＳＣＨである場合、
【０１１２】
・干渉信号のＣＲＳシーケンスのシード値（物理セル識別子）情報及びＣＲＳポート数、ＣＲＳ周波数シフト（ｓｈｉｆｔ）、ＭＢＳＦＮ構成（ｃｏｎｆｉｇｕｒａｔｉｏｎ）情報
【０１１３】
・干渉信号の送信されたＰＭＩ（ＴＰＭＩ）情報
【０１１４】
・ＰＭＩ制限情報：干渉ｅＮＢが特定ＴＰＭＩ集合のみを用いるようにして干渉推定をするように助けることができる。単一セル動作の場合、コードブック制限情報を伝達することができる。多重−セルの場合、このような情報がｅＮＢ間に送信されなければならず、このような情報がＵＥに伝達されなければならない。或いは、特定ＴＰＭＩは用いられなかったということを知らせる情報。これにより、これらの中でのみ、ＵＥが干渉ＵＥのＰＭＩを限定された集合内でブラインド（ｂｌｉｎｄ）に探すことができる。
【０１１５】
これらの干渉信号に関する情報は、要求される信号に関する下りリンク制御情報（Ｄｏｗｎｌｉｎｋ  Ｃｏｎｔｒｏｌ  Ｉｎｆｏｒｍａｔｉｏｎ；ＤＣＩ）に含めて動的に送信することができる。ｅＮＢはＵＥに制御情報を送信する際、要求される信号に関する制御情報と共に干渉信号の制御情報を送信する。例えば、下記の表のように、ｅＮＢがＵＥへのＤＣＩを用いて干渉除去のための追加情報を提供し、当該ＵＥは、これを用いて干渉レベルを推定し、全体受信信号から干渉を除去する。
【０１１６】
【表５】
2016521085.tif 000024
【実施例２】
【０１１７】
第２実施例
【０１１８】
以下、図５の（ｄ）に示すように、ネットワークで多重セルＭＵ−ＭＩＭＯスケジューリングをする場合、ＵＥの干渉除去を助けるためのネットワークシグナリングに係る実施例を説明する。図５の（ｄ）のようなシナリオでは、同一ＰＲＢに複数個のＵＥがスケジュールされ、ターゲットＵＥが、要求される信号の受信性能を高めるために、干渉信号を除去するための補助情報（又は、制御情報）を自身のサービングセルから受信する。
【０１１９】
より具体的な説明に先立ち、図５の（ｄ）のようなシナリオで干渉信号を除去するための補助情報をターゲットＵＥに提供するためには、隣接セルのスケジューリング情報を把握しなければならず、ｅＮＢ間のネットワークコーディネーション（ｃｏｏｒｄｉｎａｔｉｏｎ）が必須である。ｅＮＢ間バックホールリンクの速度及びレイテンシ（ｌａｔｅｎｃｙ）によってｅＮＢ間協調の程度が変わり、ＵＥにシグナルできる情報の種類も異なってもよい。
【０１２０】
バックホールリンクは、３種類に大別することができる。
【０１２１】
理想的バックホール（非−Ｘ２）リンク：既存のＬＴＥ  Ｒｅｌ．１１ＣｏＭＰで考慮されたように、互いに協調するｅＮＢは、一種のＣｏＭＰクラスターを形成し、同一ＣｏＭＰクラスター内のセルは協調スケジューリング及び協調データ送受信のために、容量（ｃａｐａｃｉｔｙ）が高く、レイテンシが低い光ファイバのようなバックホールリンクで接続されているため、協調スケジューリングが可能であり、正確に時間同期が取れた状態に維持されているため、協調データ送信が可能である。。また、協調送信に参加するＣｏＭＰクラスター内のセルから送信された信号を受信する際に、各セルからの伝搬遅延（ｐｒｏｐａｇａｔｉｏｎ  ｄｅｌａｙ）差による各セルから送信された信号の受信時点の差が、ＯＦＤＭシンボルのサイクリックプレフィックス（ｃｙｃｌｉｃ  ｐｒｅｆｉｘ；ＣＰ）長さ以内に収まると仮定することができる。この場合、毎サブフレームごとに、ＵＥの干渉除去を助けるために毎サブフレームごとに変更されてもよい動的な情報を含む必要な大部分の情報を、動的シグナリングによってより正確にＵＥに提供することができる。
【０１２２】
遅いバックホールリンク：数ｍｓから数十ｍｓまでのレイテンシがある一般的なバックホールリンクであり、ｅＮＢ間協調のための動的な情報送信が不可能なリンクである。このようなリンクにおけるｅＮＢ間協調は、半−静的な情報を隣接ｅＮＢに伝達する程度の協調しかできない。
【０１２３】
速いバックホールリンク：理想的なバックホールリンクと遅いバックホールリンクとの中間段階のバックホールであり、ある程度の迅速な（例えば、レイテンシが１ｍｓ以内である）ｅＮＢ間協調が可能であろう。ＵＥに役立つ情報は、半−静的な隣接ｅＮＢに関する情報以外の制約的な情報に対しては、動的シグナリングによってＵＥの干渉除去を助けることができる。
【０１２４】
図５の（ｄ）のような多重セルＭＵ−ＭＩＭＯの場合、ターゲットＵＥが干渉信号を除去するためにネットワークから受け取る情報は、次のとおりである。図５の（ｃ）と同様に、干渉信号に対して復号をせずに復調のみを行って干渉除去及び／又は抑制をする方法を中心に説明する。
【０１２５】
２−１．干渉信号がＤＭ−ＲＳベースの信号である場合
【０１２６】
ＤＭ−ＲＳを用いて干渉信号の干渉量を推定し、これを除去する上で最も基本的に必要なものがＤＭ−ＲＳシーケンスのシード値であるが、サービングセルではなく隣接セルからの干渉を受ける場合、隣接セルがＵＥスケジューリングのために用いたＤＭ−ＲＳシーケンスを生成するために用いたセルＩＤ値（仮想セルＩＤ、物理セルＩＤ）及びｎＳＣＩＤ情報である。また、ＤＭ−ＲＳ推定性能を高めるために、ＤＭ−ＲＳに比べて密度の高いＣＳＩ−ＲＳ及びＣＲＳのチャネル推定値を一部用いることができるが、これに関する情報が必要である。ＬＴＥ  Ｒｅｌ．１１ではこれをＱＣＬ（Ｑｕａｓｉ  Ｃｏ−Ｌｏｃａｔｉｏｎ）仮定という概念と定義したし、これをＵＥにシグナルする。すなわち、干渉ＤＭ−ＲＳシーケンスがどのＣＳＩ−ＲＳ、そしてどのＣＲＳとＱＣＬ仮定可能かに関する情報も、ｅＮＢがターゲットＵＥに提供することができる。当該サブフレームにおけるＤＭ−ＲＳ密度を把握するには、ターゲットＵＥが当該サブフレームでスケジューリングされたＰＲＢ内における全体ランク情報も必要であるが、これらの情報は、各（ＶＣＩＤ，ｎＳＣＩＤ）ペア（ｐａｉｒ）別ランク情報をＵＥにシグナルすることによって、同一の効果を得ることができる。加えて、干渉信号の各コードワード別変調次数もターゲットＵＥにシグナルされてもよい。
【０１２７】
以下、前述した情報をシグナルする方式を説明する。バックホールリンクの速度及びレイテンシによって具体的なシグナリング技法は異なってくるが、遅いバックホールリンクを考慮した最も保守的なシグナリング技法から理想的なバックホールリンクを考慮したシグナリング技法までを本明細書で提案する。
【０１２８】
毎サブフレームごとに変わるＵＥスケジューリング情報に対して動的な情報をｅＮＢ間で交換し難い場合であっても、ＵＥに、干渉信号除去のための補助情報を半−静的に提供することができる。すなわち、ｅＮＢが、ターゲットＵＥに干渉を誘発する可能性のあるセルの候補群を選択し、これらのセルから当該セルが使用するＤＭ−ＲＳシーケンス関連情報及びＱＣＬ情報などを受信して、上記干渉信号除去のための補助情報の集合を構成し、これを上記ターゲットＵＥに上位層シグナリングを用いて提供することができる。また、ｅＮＢは、ＰＤＣＣＨを介して上記ターゲットＵＥに、上記補助情報の集合の一つを明示的に指示（下記の表６の“Ｂｉｔ  ｖａｌｕｅ”で指示）することができる。上記ターゲットＵＥは、上記一つの補助情報の集合に基づいて干渉信号を推定して除去することができる。
【０１２９】
毎サブフレームごとに変わるＵＥスケジューリング情報に対して動的な情報をｅＮＢ間で交換できる場合には、ｅＮＢは、隣接セルとの情報交換によって、現在サブフレームで送信される干渉信号の特徴を把握し、上記ターゲットＵＥに物理層シグナリングを通じて、既に提供された補助情報の集合の中から一部集合のみを選択して知らせ、これで、上記ターゲットＵＥは上記一部集合内で干渉信号のＤＭ−ＲＳシーケンスを探索して干渉推定を行うことができる。
【０１３０】
上記の両者の場合において、上記ターゲットＵＥは、上記ｅＮＢから受信した補助情報の集合を活用して、候補集合内の干渉信号（すなわち、干渉ＰＤＳＣＨ信号）が当該サブフレームに存在するか検出する。すなわち、前者の場合には、ＰＤＣＣＨで指示された補助情報を活用し、後者の場合には、補助情報の集合のうちの一部集合（サブ集合）を活用することができる。上記ターゲットＵＥは、提供された補助情報（例えば、ＣＲＳ又はＤＭ−ＲＳシーケンス情報及びＱＣＬ情報など）を活用して、当該サブフレームで参照信号が一定量以上の受信エネルギーを超えて検出されるか判定する。上記ターゲットＵＥは、一定量以上の受信エネルギーを超えて検出された参照信号から干渉チャネルを推定し、これと共に送信された干渉ＰＤＳＣＨを検出し、該検出された参照信号及び干渉ＰＤＳＣＨ信号を全体受信信号から除去する。
【０１３１】
下記の表６に、これらの情報の半−静的なシグナリングによって伝達される情報の例を示す。
【０１３２】
【表６】
2016521085.tif 000025
【０１３３】
［ＤＭ−ＲＳシーケンスのシード値集合］
【０１３４】
ｅＮＢは、ターゲットＵＥに支配的な（ｄｏｍｉｎａｎｔ）干渉を誘発しうる候補集合を決定し、これを、表６に例示したとおりに上記ターゲットＵＥに送信する。まず、ＤＭ−ＲＳシーケンスのシード値となる０乃至５０３までの範囲の値を有するＶＣＩＤと０又は１のいずれかの値を有するｎＳＣＩＤを、ターゲットＵＥに提供する。上記ＶＣＩＤとｎＳＣＩＤを、“ＤＭ−ＲＳ関連情報”と呼ぶ。ｎＳＣＩＤは、例えば、０又は１の値を有することができるが、当該ＶＣＩＤに対してｎＳＣＩＤ値０と１が全て用いられる場合は、この２つの値をＵＥに知らせることができる。或いは、この場合には、当該ＶＣＩＤに対してはｎＳＣＩＤ値を知らせなくてもよい。すなわち、上記の表１で、ｎＶＣＩＤ（０）に該当するｎＳＣＩＤ値０と１を全て知らせると、ＵＥは、ｎＶＣＩＤ（０）とｎＳＣＩＤ＝０を用いてＤＭ−ＲＳシーケンスを生成して干渉を推定し、ｎＶＣＩＤ（０）とｎＳＣＩＤ＝１を用いてＤＭ−ＲＳシーケンスを生成して干渉を推定することができる。
【０１３５】
ｎＶＣＩＤ（０）値がシグナルされ、ｎＳＣＩＤフィールド値が省略された場合、ＵＥは、当該ｎＶＣＩＤ（０）に対して、全てのｎＳＣＩＤ（例えば、０と１）値に対してＤＭ−ＲＳシーケンスを生成させて干渉を推定する。しかし、上の表６で、ビット値（ｂｉｔ  ｖａｌｕｅ）＝１のときの例のように、特定ＶＣＩＤに該当するｎＳＣＩＤ値が１つの値に限定される場合には、ＵＥは、当該ＶＣＩＤを用いた干渉信号のＤＭ−ＲＳシーケンスは、指定されたｎＳＣＩＤのみを用いて生成されたものと仮定し、指定されたｎＳＣＩＤのみで生成されたＤＭ−ＲＳシーケンスに対する干渉推定のみを行う。例えば、ｎＶＣＩＤ（１）に対してはｎＳＣＩＤ＝｛０｝のみとシグナルされたため、ｎＶＣＩＤ（１）に対してはｎＳＣＩＤ＝０の場合のみを考慮して、ＤＭ−ＲＳシーケンスを用いた干渉推定を行う。
【０１３６】
［ランク制限（Ｒａｎｋ  Ｒｅｓｔｒｉｃｔｉｏｎ）］
【０１３７】
ランク制限情報は、当該ＤＭ−ＲＳを使用した干渉信号のランクが制限されるか否かを知らせることができ、当該フィールドの情報が省略されていると、ＵＥは、当該ＤＭ−ＲＳシード値に該当する干渉信号のランク情報をブラインド（ｂｌｉｎｄ）に検出して干渉除去に活用することができる。しかし、ランク制限フィールドに特定ランク値がシグナルされていると、これは、ＵＥに、最大ランクが上記特定ランク値に制限されているということを知らせるものである。このため、ＵＥは、当該シード値に対応するＤＭ−ＲＳシーケンス（シグナルされたＶＣＩＤ値とｎＳＣＩＤによるＤＭ−ＲＳシーケンス）に対しては、シグナルされた値以上のランクが使用されていなと仮定し、それ以上のランクに対しては干渉ＤＭ−ＲＳシーケンスに対する探索を行わない。例えば、上記の表６で、ビット値＝０の場合、ｎＶＣＩＤ（０）に対してはそれぞれｎＳＣＩＤ＝０とｎＳＣＩＤ＝１が使用され、干渉ＤＭ−ＲＳシーケンスが用いられる可能性があるということをＵＥに知らせる。ランク制限無しで、ｎＳＣＩＤ値｛０，１｝が全てシグナルされた場合、ｎＶＣＩＤ（０）であり、且つｎＳＣＩＤ＝０に対しては、ランク＝１からランク＝８までブラインドにＤＭ−ＲＳシーケンスを探索し、ｎＳＣＩＤ＝１に対してはランク＝１からランク＝２までＤＭ−ＲＳシーケンスを探索して干渉除去（ＩＣ）動作を行うことができる。ｎＳＣＩＤのそれぞれの値に対してランク制限がない場合、各値が支援できる最大ランク値がｅＮＢとＵＥ間にあらかじめ約束されていなければならず、ランク制限フィールド値がシグナルされない場合、ＵＥは、それぞれのｎＳＣＩＤ値に対してあらかじめ約束されている最大ランクまでＤＭ−ＲＳシーケンスをブラインドに探索する。３ＧＰＰ  Ｒｅｌ．１１では、ｎＳＣＩＤ＝０の場合、最大ランク＝８に、ｎＳＣＩＤ＝１の場合、最大ランク＝２に制限されている。
【０１３８】
ところが、上記の表６においてビット値＝１のとき、ｎＶＣＩＤ（１）に対してｎＳＣＩＤ＝０に制限されており、このとき、ランク制限フィールドは１である。これは、ｎＶＣＩＤ（１）とｎＳＣＩＤ＝０による干渉ＤＭ−ＲＳシーケンスは、ランクが１に限定されて送信されることをＵＥに知らせるものであり、これによって、ＵＥは、当該ＤＭ−ＲＳシーケンスに対しては、ランクが２以上である場合の干渉は考慮せず、ランク＝１の場合のみを考慮してＩＣ動作を行う。このようなランク制限情報をＵＥに提供するためには、ｅＮＢ間ランクコーディネーションが必須である。すなわち、一定時間において特定ＤＭ−ＲＳシーケンスに対しては一定ランク値以上とスケジュールしないという情報、すなわち、特定ランク以下とスケジュールするという情報を、ｅＮＢ間で交換しなければならない。
【０１３９】
［変調次数又はＭＣＳ制限（ｍｏｄｕｌａｔｉｏｎ  ｏｒｄｅｒ  ｏｒ  ＭＣＳ  ｒｅｓｔｒｉｃｔｉｏｎ）］
【０１４０】
変調次数制限情報は、当該ＤＭ−ＲＳシーケンスを使用した干渉信号の変調次数に制限があるか否かを知らせるためのフィールドである。該フィールドの情報が省略されていると、ＵＥは、当該ＤＭ−ＲＳシーケンスのシード値に該当する干渉信号の変調次数をブラインドに探索して干渉除去に活用する。しかし、変調次数制限フィールドに特定変調次数値がシグナルされていると、これは、ＵＥに、最大変調次数は上記特定変調次数値に制限されているということを知らせ、ＵＥは、それ以下の変調次数に対してブラインドに変調次数を仮定して干渉信号のＤＭ−ＲＳを復調する。ここで、変調次数＝｛２，４，６｝はそれぞれ、ＱＰＳＫ、１６ＱＡＭ、６４ＱＡＭを示す。勿論、より高い変調次数値がシグナルされてもよい。例えば、変調次数制限フィールドに４という値でシグナルされたＤＭ−ＲＳに対して、ＵＥに、当該ＤＭ−ＲＳはＱＰＳＫ又は１６ＱＡＭで変調されたことを知らせる。ＵＥは、当該ＤＭ−ＲＳがＱＰＳＫで変調されたと仮定して復調し、コンステレーション（ｃｏｎｓｔｅｌｌａｔｉｏｎ）で座標を探し、また、１６ＱＡＭで変調されたと仮定して復調し、コンステレーション（ｃｏｎｓｔｅｌｌａｔｉｏｎ）で座標を探し、これら２つの値のうちどの変調次数で変調されたかを判断し、これを用いて干渉信号のチャネルを推定して干渉量を除去することができる。
【０１４１】
他の実施例として、最大変調次数ではなく、正確に変調次数として２，４，６のうちの１つの値を指定することができる。これによって、特定の変調次数を指示することができ、この場合、ＵＥは、当該変調次数に対してのみ復調を行うことによって、干渉除去の効率を上げることができる。さらに、指示された変調次数に対してブラインドに復号する動作を行うこともできる。
【０１４２】
同様に、変調次数制限の代わりに、ＭＣＳ（ｍｏｄｕｌａｔｉｏｎ  ａｎｄ  ｃｏｄｉｎｇ  ｓｃｈｅｍｅ）制限情報をＵＥに知らせることもできる。すなわち、変調次数のみを知らせるのではなく、変調次数に併せて符号化レート（ｃｏｄｅ  ｒａｔｅ）もＵＥに知らせる。すなわち、ＭＣＳが特定値以下に制限されたことをＵＥに知らせる。これによって、ＵＥは、当該ＤＭ−ＲＳシーケンスのシード値に該当する干渉信号は、特定ＭＣＳレベル以下で変調及び符号化されたことが認知でき、与えられた範囲内でのみ干渉ＤＭ−ＲＳシーケンスの変調及び符号化レートをブラインド探索し、当該ＤＭ−ＲＳを用いて干渉信号に対するチャネルを推定して干渉を除去する。現在、ＬＴＥ  Ｒｅｌ．１１で定義されたＰＤＳＣＨのためのＭＣＳ表は、変調次数とＴＢＳ（Ｔｒａｎｓｐｏｒｔ  Ｂｌｏｃｋ  Ｓｉｚｅ）インデックスとの組合せで構成されている。
【０１４３】
【表７】
2016521085.tif 000026
【０１４４】
すなわち、ＭＣＳインデックスは、変調次数とＴＢＳインデックスを示すが、変調次数は、前述した｛２，４，６｝の値を有し、それぞれＱＰＳＫ、１６ＱＡＭ、６４ＱＡＭを表す。ＴＢＳインデックスは、間接的な符号化レート指示子であり、符号化レートは、ＰＤＳＣＨ  ＲＢ割り当て及びレイヤ数などによって実際符号化レートが決定されてもよい。したがって、本発明でＭＣＳ制御情報を提供するとき、例えば、ＩＭＣＳ＜１０のように、特定値以下に制限されたことを知らせたり、１０≦ＩＭＣＳ≦１６のようにＭＣＳ制御情報を提供することによって、変調次数を具体的に限定することができる。これによって、指示された変調次数内でブラインド復号を行うことができる。このようなＭＣＳ制御情報は、ＵＥのＩＣ受信器が復調ベースＩＣだけでなく、符号化ベースＩＣのような種類の受信器である場合にも有用に用いることができる。
【０１４５】
このような変調次数又はＭＣＳ制御情報をＵＥに提供するためには、ｅＮＢ間の変調次数或いはＭＣＳに対するコーディネーションが必須である。すなわち、一定時間において特定ＤＭ−ＲＳシーケンスに対しては一定変調次数又はＭＣＳレベル以上とスケジュールしないという情報、すなわち、特定変調次数又はＭＣＳレベル以下とスケジュールするという情報、或いは特定変調次数又はＭＣＳレベルとスケジュールするという情報が、ｅＮＢ間に交換されなければならない。上記の変調次数又はＭＣＳレベル制限に関する内容は、ＣＲＳベースのＰＤＳＣＨ干渉信号の場合にも同一に適用して使用することができる。特定ＣＲＳを用いて、変調されたＰＤＳＣＨに対して変調次数及びＭＣＳレベル制限情報をシグナルすると、ＵＥは、当該干渉信号の変調次数又はＭＣＳレベルがシグナルされた値以下に制限されたと仮定し、上述した動作を行うことができる。
【０１４６】
［ＤＭ−ＲＳシーケンス制限（ＤＭ−ＲＳ  ｓｅｑｕｅｎｃｅ  ｗｉｔｈ  ｒｅｓｔｒｉｃｔｉｏｎｓ）］
【０１４７】
ＵＥの干渉除去のためにｅＮＢ間ランク制限或いは変調次数（又は、ＭＣＳレベル）を制限する理由は、ターゲットＵＥが干渉信号を正しく復調及び／又は復号できるようにするためである。一般に、干渉信号の受信ＳＮＲが要求される信号の受信ＳＮＲよりも低いはずであるため、単に干渉信号に関する情報のみを提供するだけでは、ＵＥが干渉信号を検出して除去できるとは限らない。ターゲットＵＥが干渉信号を復調及び／又は復号できるようにするためには、ランクも、変調次数或いはＭＣＳも下げることによって正しくＩＣを行えるようにし、要求される信号に対する受信性能を高めることができるようにする。結果として、ネットワーク協調を用いてＵＥにとってのＩＣを可能にする構造では、自己信号に対するスケジューリングをするときにも最大ランク或いは高い変調次数（或いはＭＣＳ）を使用できない可能性が非常に高いということを意味する。したがって、ｅＮＢは、全体システム収率及びＵＥ収率の向上のために、ＤＭ−ＲＳシーケンス及びリソースを別々に運営することができる。すなわち、セルの中央に主に位置してジオメトリー（ｇｅｏｍｅｔｒｙ）が非常によいＵＥには、ランクや変調方式に全く制約を有しないＤＭ−ＲＳシーケンスを用いてＰＤＳＣＨをスケジュールし、セル境界の付近に位置して隣接セルに干渉を与えるＵＥには、ランクや変調方式に制約を有するＤＭ−ＲＳシーケンスを用いてＰＤＳＣＨをスケジュールすることができる。
【０１４８】
［ＱＣＬ仮定］
【０１４９】
ＤＭ−ＲＳシーケンスを用いた干渉チャネル推定の性能を高めるために、ｅＮＢはＱＣＬ仮定を併せて提供する。ＱＣＬ仮定とは、特定ＤＭ−ＲＳシーケンスの干渉チャネルを推定するとき、ＤＭ−ＲＳに比べてＲＳ密度が高いとともに上記特定ＤＭ−ＲＳシーケンスと同一或いは類似のチャネル特性を有する他のＲＳのチャネル特性値を適用してＤＭ−ＲＳシーケンスのチャネル推定性能を高める方式である。正確には、それぞれのアンテナポートに対するＱＣＬ（Ｑｕａｓｉ  ｃｏ−ｌｏｃａｔｉｏｎ）を３ＧＰＰ  ＬＴＥ  Ｒｅｌ．１１で定義している。ＱＣＬについて２つの動作に大別して定義している。その一つは、ＣＲＳ、ＤＭ−ＲＳ及びＣＳＩ−ＲＳがサービングセルから送信される動作であって、全てのアンテナポートが同一のチャネル特性を有するＢｅｈａｖｉｏｕｒ  Ａであり、もう一つは、ＰＤＳＣＨを復調する際に、ＤＭ−ＲＳが特定ＣＳＩ−ＲＳと同一のチャネル特性を有する動作としてＢｅｈａｖｉｏｕｒ  Ｂを定義した。Ｂｅｈａｖｏｕｒ  Ｂではさらに、ＤＭ−ＲＳとＣＳＩ−ＲＳとのＱＣＬだけでなく、周波数特性に対しては特定ＣＲＳとのＱＣＬをＵＥにシグナルすることもできる。
【０１５０】
したがって、ＤＭ−ＲＳシーケンス候補群にあるそれぞれのシーケンスに対してＱＣＬ仮定を伝達することができ、例えば、ＤＭ−ＲＳシーケンスと特定（非−ゼロパワー）ＣＳＩ−ＲＳインデックスとをマップして知らせることができる。本発明の一実施例で提案する方式は３ＧＰＰ  ＬＴＥ  Ｒｅｌ．１１で定義したＣｏＭＰ構造に限定されず、ＣＳＩ−ＲＳインデックスはＣｏＭＰ方式においてＵＥのＣＳＩフィードバックのために設定されたＣＳＩ−ＲＳに限定されるものでない。シグナルされるＣＳＩ−ＲＳインデックスに対してＵＥが必ずしもＣＳＩフィードバックをする必要があるわけではなく、このため、特定ＤＭ−ＲＳシーケンスを推定する上で役立つ情報として当該ＣＳＩ−ＲＳのチャネル特性を得る際に、むしろ余計にＵＥが測定すべきＣＳＩ−ＲＳが増加するという短所がありうる。したがって、特定ＤＭ−ＲＳシーケンスに対する干渉チャネル推定のためのＱＣＬ情報は、ＣＳＩ−ＲＳの他、特定セルのＣＲＳからの情報を参照することが一層好ましいだろう。すなわち、ＱＣＬ仮定のためにＣＳＩ−ＲＳインデックスを知らせたり特定セルのＰＣＩＤを知らせることによって、当該セルのＣＲＳからのチャネル特性を得るようにすることができる。
【０１５１】
但し、ＣｏＭＰシナリオ４の場合、互いに異なる位置にあるＴＰが同一ＰＣＩＤを共有するので、ＱＣＬ仮定のためにＰＣＩＤのみを知らせることは不適である。したがって、このような場合には、ＣＳＩ−ＲＳインデックスをＵＥにシグナルする。要するに、ＱＣＬ仮定のためにＣＳＩ−ＲＳインデックス又はＰＣＩＤをシグナルすることができ、ＵＥは、ＱＣＬ仮定情報でシグナルされたＣＳＩ−ＲＳインデックス又はＰＣＩＤのみを用いてＣＳＩ−ＲＳからチャネル特性を参照したり、又はＰＣＩＤに該当するＣＲＳを用いてチャネル特性を参照する。ただし、特定ＤＭ−ＲＳシーケンスに対するＱＣＬ情報にＣＳＩ−ＲＳインデックスとＰＣＩＤが全てシグナルされた場合、特定ＤＭ−ＲＳシーケンスに対してはシグナルされたＣＳＩ−ＲＳインデックスとシグナルされたＰＣＩＤに該当するＣＲＳとそれぞれＱＣＬ関係にあるということを知らせるものである。すなわち、当該ＤＭ−ＲＳはシグナルされたＣＳＩ−ＲＳインデックスとＱＣＬ関係にあってもよく、場合によっては、シグナルされたＰＣＩＤに該当するＣＲＳとＱＣＬ関係にあってもよい。したがって、ＵＥは、それぞれの場合に対して干渉を推定して干渉信号を探索し、干渉除去を行う。
【０１５２】
ＵＥにＱＣＬ仮定のためにＣＳＩ−ＲＳインデックスを上記の表６のようにＵＥにシグナルするとき、ｅＮＢは上記ＵＥにＣＳＩ測定のためのＣＳＩ−ＲＳ構成（ｃｏｎｆｉｇｕｒａｔｉｏｎ）の他、ロング−ターム測定（ｌｏｎｇ−ｔｅｒｍ  ｍｅａｓｕｒｅｍｅｎｔ）及びＱＣＬ仮定のためのＣＳＩ−ＲＳ構成を別個にシグナルしなければならない。そのためのＣＳＩ−ＲＳ構成は、ＣＳＩ測定のためのＣＳＩ−ＲＳを含むことができる。
【０１５３】
［レートマッチング情報（Ｒａｔｅ  Ｍａｔｃｈｉｎｇ  Ｉｎｆｏｒｍａｔｉｏｎ）］
【０１５４】
干渉信号のＰＤＳＣＨ  ＲＥマッピング及び特定ＲＥにおけるＣＲＳ干渉があるか否かを知らせるために、隣接セルのＣＲＳ情報も送信しなければならない。ＣＲＳ情報にはＣＲＳアンテナポートの数、ＣＲＳ周波数シフト（＝｛０，１，２，…，５｝）、そしてＭＢＳＦＮサブフレームパターンなどが含まれる。ＣＲＳ干渉があることをＵＥに知らせて当該ＣＲＳ干渉を当該ＵＥに除去させる際、ＣＲＳ周波数シフトではなく当該ＣＲＳの物理セルＩＤを知らせる。すなわち、ＣＲＳ情報として物理セルＩＤ、ＣＲＳアンテナポート数、ＭＢＳＦＮサブフレームパターンを知らせることによって、ＵＥにとって当該ＣＲＳ位置ではＣＲＳ干渉制御能力があるとそれを除去するようにする。
【０１５５】
また、特定ＲＥにおける干渉信号からの干渉があるかを知らせるために、隣接セルのＣＳＩ−ＲＳ情報及びＺＰ  ＣＳＩ−ＲＳ情報もＵＥにシグナルすることができる。すなわち、干渉信号のＰＤＳＣＨがマップされていないため、当該ＲＥではＵＥがＩＣを行わないようにし、性能劣化を防止するためである。
【０１５６】
また、干渉信号のＰＤＳＣＨレートマッチングパターンを知らせるためのＣＳＩ−ＲＳインデックスを別途にシグナルすることができる。他の方式としては、ＱＣＬ仮定のために知らせたＣＳＩ−ＲＳインデックスを利用することもできる。例えば、上記の表６でビット値＝０のときに知らせたｎＶＣＩＤ（０）とｎＳＣＩＤ＝｛０，１｝で生成されるＤＭ−ＲＳシーケンスを利用する干渉信号のＰＤＳＣＨはＣＳＩ−ＲＳインデックス（０）とＱＣＬされているため、ＵＥは、ＣＳＩ−ＲＳインデックス（０）からチャネル特性を得るとともに、当該干渉信号のＰＤＳＣＨをＣＳＩ−ＲＳインデックス（０）に該当する構成としてレートマッチングされて送信されるものと認識することができる。この場合、レートマッチング情報のための別のＣＳＩ−ＲＳインデックスシグナリングは必要でない。ただし、ＱＣＬのためのＣＳＩ−ＲＳインデックスとレートマッチング情報のための別のＣＳＩ−ＲＳインデックスがそれぞれシグナルされる場合、ＵＥが仮定する当該干渉信号に対するレートマッチングは、レートマッチング情報のための別途送信されるＣＳＩ−ＲＳインデックスに従う。上記の表６でレートマッチング情報を提供するための複数個のＣＳＩ−ＲＳインデックスがシグナルされてもよい。ＵＥの能力（ｃａｐａｂｉｌｉｔｙ）によって、レートマッチング情報として受信したＣＳＩ−ＲＳインデックスを用いたり、ＱＣＬされたＣＳＩ−ＲＳインデックスを用いて、当該ＣＳＩ−ＲＳが送信されるＲＥではＣＳＩ−ＲＳに対する干渉除去を行うことができる。
【０１５７】
さらに、干渉信号送信に用いられるＺＰ  ＣＳＩ−ＲＳインデックスもＵＥに送信することができる。シグナルされるＺＰ  ＣＳＩ−ＲＳは、干渉ｅＮＢがどのＵＥにスケジュールするＰＤＳＣＨかによって、実際にミューティング（ｍｕｔｉｎｇ）されてもよく、ＰＤＳＣＨがマップされてもよい。ただし、このようなシグナリングでターゲットＵＥに、当該ＺＰ  ＣＳＩ−ＲＳにＰＤＳＣＨはマップされてもよく、当該ＺＰ  ＣＳＩ−ＲＳがミューティングされてもよい可能性を知らせる。当該ＺＰ  ＣＳＩ−ＲＳを用いて当該ＲＥに対してはＩＣを初めから行わないか、或いは、エネルギー検出によってＵＥ独自でＺＰ  ＣＳＩ−ＲＳ内のＲＥに対してＩＣを行うか否かを決定するようにＵＥに任せる。ただし、シグナルされたＣＲＳインデックスとＣＳＩ−ＲＳインデックスを除いて、且つ別のシグナリング及び制約がない限り（例、ＰＳＳ／ＳＳＳ／ＰＢＣＨ送信、ポジショニングＲＳ送信、ＭＢＳＦＮサブフレームなど）、シグナルされたＺＰ  ＣＳＩ−ＲＳ以外の領域ではＰＤＳＣＨが送信されるということをＵＥに知らせる。これを受信したＵＥは、当該ＺＰ  ＣＳＩ−ＲＳ以外の領域ではＰＤＳＣＨが送信されると仮定する。
【０１５８】
一般に、ＺＰ  ＣＳＩ−ＲＳは、設定（ｃｏｎｆｉｇｕｒｅ）されたＣＳＩ−ＲＳ位置をカバーするように構成される。したがって、別途の干渉信号のレートマッチング情報として、ＣＳＩ−ＲＳ情報送信無しでＺＰ  ＣＳＩ−ＲＳがＣＳＩ−ＲＳ送信位置をカバーするシグナリングをＵＥに伝達することができる。すなわち、シグナルされたＺＰ  ＣＳＩ−ＲＳではＰＤＳＣＨが送信されても送信されなくてもよいという情報を提供する。
【０１５９】
干渉信号のＺＰ  ＣＳＩ−ＲＳに対する別途のシグナリングがない場合、ＵＥは、あらかじめ自身に設定（ｃｏｎｆｉｇｕｒｅ）された１つ或いは複数個のＺＰ  ＣＳＩ−ＲＳの全体組合せに対して干渉信号のＰＤＳＣＨがマップされてもよいと考え、これらのＲＥに対して無条件でＩＣ動作を行わなくてもよい。これらのＲＥにおける具体的なＩＣ動作は、ＵＥ具現による。
【０１６０】
［ＰＤＳＣＨ開始シンボルインデックス（ＰＤＳＣＨ  ｓｔａｒｔｉｎｇ  ｓｙｍｂｏｌ  ｉｎｄｅｘ）］
【０１６１】
他のｅＮＢから受信される干渉を除去するとき、干渉信号と要求される信号のＰＤＳＣＨ開始シンボルは、ｅＮＢ間であらかじめ整列（ａｌｉｇｎ）されなければならない。隣接セルのＣＲＳベースのＰＤＣＣＨによる干渉をＤＭ−ＲＳベースのＰＤＳＣＨを用いて除去することは好ましくない。ＰＤＳＣＨが始まるＯＦＤＭシンボルは、ＰＤＣＣＨで送信される制御情報の量及び毎サブフレームにおける当該ｅＮＢの負荷によって異なるため、隣接セルのＰＤＳＣＨ開始シンボルを動的にシグナルすることは大きな負担となる。このため、表６のように、半−静的なシグナリングでＰＤＳＣＨ開始シンボルインデックスを、それぞれのＤＭ−ＲＳシーケンス別に、ｅＮＢがＵＥにシグナルすることができる。ここで、ＰＤＳＣＨ開始シンボルインデックスは、当該ＤＭ−ＲＳシーケンスを使用する干渉信号のＰＤＣＣＨは、シグナルされたＰＤＳＣＨ開始シンボル以降には存在しないことを意味する。例えば、表６のビット値＝０において、ＰＤＳＣＨ開始シンボルインデックス＝２としてシグナルされているが、これは、ｎＶＣＩＤ（０）に該当するＤＭ−ＲＳシーケンスを使用するｅＮＢが送信する干渉信号のＰＤＣＣＨは、シグナルされたＰＤＳＣＨ開始シンボルインデックス＝２以降には送信されないということを意味する。すなわち、ＯＦＤＭシンボルインデックス＝０，１まではＰＤＣＣＨが送信されてもよい（ＰＤＳＣＨが送信されてもよい）が、ＯＦＤＭシンボルインデックス≧２のときにはＰＤＣＣＨが送信されないということをＵＥに保障する。すると、ＵＥは、自身の要求される信号がＯＦＤＭシンボルインデックス＝１から始まり、且つｎＶＣＩＤ（０）をＤＭ−ＲＳシーケンスのシード値とするＤＭ−ＲＳシーケンスを使用する信号が強い干渉として入った場合には、ＵＥは、ＯＦＤＭシンボルインデックス＝１に対してはＩＣ動作を行わずに復調を行うが、以降のＯＦＤＭシンボルインデックスに対してはＩＣ動作を行ってから復調することができる。言い換えると、ＰＤＳＣＨ開始シンボルインデックス情報を受信すると、ＵＥは、ＰＤＳＣＨが確実に送信されると保障された領域でのみＩＣ動作を行い、そうでない領域に対してはＩＣ無しで復調を行う。このとき、ＩＣ無しで復調を行う領域に対しては低い重み値を与え、損失（ｌｏｓｓ）を減らすことができる。
【０１６２】
本発明の他の実施例として、ＵＥは、ＰＤＳＣＨ開始シンボルインデックスに対する表６のような別のシグナリング無しで、自身をターゲットとするＰＤＳＣＨがマップされるシンボル以降に常に隣接セルのＰＤＳＣＨが始まると仮定することができる。そのためには、ｅＮＢ間でＰＤＳＣＨ開始シンボルインデックスに対してあらかじめ情報を交換をしなければならず、この情報に該当する内容は、前述したとおり、特定ＯＦＤＭシンボルインデックス以降にはＰＤＣＣＨが送信されないということを知らせる情報が、当該情報が有効なサブフレーム情報（例えば、サブフレームパターン）と共に交換されなければならない。
【０１６３】
本発明の他の一実施例として、各ｅＮＢは、ＰＤＳＣＨ開始シンボルインデックスを可能な限り保守的に仮定することができる。ＵＥは、自身のサービングセルがＰＤＣＣＨ送信のために使用できる最大ＯＦＤＭシンボル個数を隣接セルでも同様に使用すると仮定し、その後のシンボルでＰＤＳＣＨに対するＩＣを行う。この時、ＵＥは、自身のサービングセルと干渉となる隣接セルの帯域幅及びフレーム構造タイプなどが同一であると仮定する。
【０１６４】
同様に、ｅＮＢ間でＰＤＳＣＨとＥＰＤＣＣＨが送信される位置に対するコーディネーションもあらかじめ交換されてもよい。ＥＰＤＣＣＨはＰＤＳＣＨと同様にＤＭ−ＲＳを用いて復調できるものであり、ＥＰＤＣＣＨは、１  ＲＢ内に最大４つのＵＥの制御情報がマルチプレクシングされてもよいため、ＰＲＢ単位或いはバンドルされたＰＲＢ単位に干渉除去をするには無理がある。このため、ＵＥは、自身の要求される信号の受信性能向上のために干渉信号を除去する際、別の情報がない限り、干渉信号としては他のＵＥ或いは他のレイヤのＰＤＳＣＨが送信されると仮定して干渉除去動作を行う。そのために、ｅＮＢ間でＰＤＳＣＨが送信される領域、及びＥＰＤＣＣＨが送信される領域をあらかじめ指定しておき、このような情報が事前に交換されなければならない。すなわち、特定周波数領域或いは特定時間周波数領域で当該基地局のＥＰＤＣＣＨが送信されるという情報を交換する。
【０１６５】
２−１−１．  シグナリング最適化（Ｓｉｇｎａｌｉｎｇ  ｏｐｔｉｍｉｚａｔｉｏｎ）
【０１６６】
バックホールリンクが、上記の区別のうち、速い場合であれば、ｅＮＢはＵＥに、半−静的なシグナリングとともに、動的に干渉除去に役立つ情報を毎サブフレームごとに送信することができる。例えば、ＵＥが干渉ＤＭ−ＲＳのシーケンスの候補シード値１番〜８番の８個に関する情報を受けたが、動的なシグナリングで２番〜４番が用いられたという情報を提供することによって、この候補の個数を減らすことができる。場合によって、ｅＮＢは、１つのＤＭ−ＲＳシーケンスのシード値のみをＵＥに送信することによって、干渉信号のＤＭ−ＲＳシーケンスを正確に知らせることもできる。又は、動的なシグナリングでランク（干渉信号のレイヤの個数）情報を指示することができる。このとき、ＵＥが干渉除去を行ってもよいレイヤの個数によって、ＵＥに指示するランク情報が異なってもよい。
【０１６７】
２−１−２．  ＤＭ−ＲＳシーケンス探索手順−ＱＣＬ仮定されたＲＳの受信信号電力を利用
【０１６８】
本発明の他の一実施例として、上記の表６のような干渉信号に関する情報がシグナリングされたＵＥは、ブラインド（ｂｌｉｎｄ）に干渉信号のＤＭ−ＲＳシーケンスを検出することもできるが、干渉信号のＤＭ−ＲＳシーケンスを探索する際、ＱＣＬ仮定可能なものとしてシグナルされたＣＳＩ−ＲＳインデックスや物理セルＩＤによるＣＲＳを用いることもできる。すなわち、ＱＣＬ仮定のためにＣＳＩ−ＲＳやＣＲＳを用いるということは、ＵＥが、当該ＣＳＩ−ＲＳやＣＲＳを周期的或いは非周期的に測定しているという意味である。このとき、受信したＣＳＩ−ＲＳやＣＲＳの強度が一定レベル以上である場合にのみ、当該ＣＳＩ−ＲＳ及びＣＲＳと関連付いたＤＭ−ＲＳが干渉として作用する可能性があると判断することができる。したがって、それらの中から、優先的に干渉となるＤＭ−ＲＳを検出して干渉チャネルを推定した後、ＩＣを行うことができる。
【０１６９】
２−１−３．  ＰＲＢバンドリング整列（ｂｕｎｄｌｉｎｇ  ａｌｉｇｎｍｅｎｔ）
【０１７０】
干渉除去に役立つ情報を受信し、受信信号から干渉信号を除去する際にさらに考慮すべき事項が、干渉信号のＰＲＢ割り当てに関するものである。要求される信号が占める周波数領域と干渉信号が占める周波数領域に対して考慮しなければならない。すなわち、これは、干渉信号に対するＤＭ−ＲＳシーケンスを検出し、これを用いて干渉を推定するとしても、要求される信号に割り当てられたＰＲＢ全体に対して推定した干渉量を除去することができるか否かに関する。
【０１７１】
例えば、ＵＥが特定干渉信号Ａに対してＤＭ−ＲＳシーケンスＡを干渉信号として検出し、これを用いて受信信号から干渉信号を除去しようとするとき、要求される信号には連続した２つのＰＲＢを割り当てられ、干渉信号Ａには連続した４個のＰＲＢが割り当てられたとすれば、ＵＥは、自身に割り当てられた全体ＰＲＢで干渉信号を除去すればよい。しかし、逆に、要求される信号に４個の連続したＰＲＢが割り当てられ、干渉信号Ａには２個の連続したＰＲＢを割り当てられたとすれば、ＵＥが、何ら情報の補助無しで、ＵＥに割り当てられた全体ＰＲＢで上記干渉信号Ａが同一に存在するとは保障できず、前者の場合と同様に干渉信号を除去することができない。
【０１７２】
したがって、干渉信号のリソース割り当て情報を直接知らせない限り、ＵＥにとって干渉除去をするための基本的な単位（ｇｒａｎｕｌａｒｉｔｙ）をｅＮＢ間で約束しなければならず、これは１つのＵＥに対するリソース割り当ての基本単位とならなければならない。好ましくは、ＰＲＢバンドリングサイズと干渉除去を行える単位とが同一でなければならない。すなわち、ＵＥは、ＰＲＢバンドリング単位にサービングセルからのリソース割り当てが行われ、隣接セルにおけるリソース割り当てもＰＲＢバンドリング単位に行われるという前提下に、自身に割り当てられたリソースにおける干渉除去を行うことができる。この場合も同様、ｅＮＢ間でＰＲＢバンドリングサイズ及びリソース割り当てに対して約束しなければならない。
【０１７３】
特定ＲＳシーケンスに対してはＰＲＢバンドリングを仮定され、他のＲＳシーケンスに対してはＰＲＢバンドリングが仮定されなくてもよい。言い換えると、ＲＳシーケンス別にＰＲＢバンドリングを仮定してもよいか否かが指定される。すなわち、上記の表６のように干渉信号のＤＭ−ＲＳに関する情報を提供する時、ｅＮＢはＵＥに、各ＤＭ−ＲＳシーケンス別にＰＲＢバンドリングを仮定してもよいか否かもシグナルすることができる。
【０１７４】
ＵＥがＰＲＢバンドリング単位に干渉除去をするためには、バンドルされたＰＲＢ内では干渉信号のチャネルが同一に維持されると前提されなければならない。このため、当該バンドルされたＰＲＢには、分散型（ｄｉｓｔｒｉｂｕｔｅｄ）ではなく局部型（ｌｏｃａｌｉｚｅｄ）にリソースが割り当てられなければならない。また、このような情報をＵＥが知っている場合にのみ、局部型にリソースが割り当てられた特定バンドルされたＰＲＢでＩＣを行うことができる。一方、ＵＥは、分散型にリソース割り当てられたバンドリングＰＲＢではＩＣを行うことができない。したがって、ｅＮＢ間リソース割り当てに対して、特定周波数領域では分散型にリソースを割り当て、特定周波数領域では局部型にリソースを割り当てるという内容のｅＮＢ間協調があらかじめ行われなければならない。
【０１７５】
また、ＰＲＢバンドリングサイズも可変であってもよく、特定サブフレームではＭ個のＰＲＢバンドリング単位にリソースを割り当て、他の特定サブフレームではＮ個のＰＲＢバンドリング単位にリソース割り当てることができる。或いは、特定サブフレームでＭ個のＰＲＢバンドリング単位にリソースを割り当て、特定サブフレームではＰＲＢ単位にリソースを割り当ていることができる。
【０１７６】
２−１−４．  異種ネットワーク（ＨｅｔＮｅｔ）支援（ＨｅｔＮｅｔ  Ｓｕｐｐｏｒｔ）
【０１７７】
異種ネットワーク（Ｈｅｔｅｒｏｇｅｎｅｏｕｓ  Ｎｅｔｗｏｒｋ；ＨｅｔＮｅｔ）において干渉信号の除去のために、本明細書で言及した情報をＵＥに提供するとき、干渉除去のための更なる情報を提供することができる。すなわち、マクロｅＮＢがＡＢＳ（Ａｌｍｏｓｔ  Ｂｌａｎｋ  Ｓｕｂｆｒａｍｅ）を運営していると、特定マクロｅＮＢは、上記マクロｅＮＢのＡＢＳパターンにしたがって、ＰＤＳＣＨを送信するか否かを決定することができる。仮にＡＢＳで低い送信電力でＰＤＳＣＨを送信していると、当該信号は周辺ピコＵＥに支配的な干渉源として作用する可能性が低い。このため、ＡＢＳパターンにしたがって、上記の表６のような干渉候補群を分けてＵＥにシグナルすることができる。
【０１７８】
例えば、ピコＵＥに複数個のサブフレーム集合を知らせ、各サブフレーム集合別に干渉候補群を分ける。干渉候補群とは、前述した表６に掲げた情報を意味する。各サブフレーム集合別に上記の表６のような情報をそれぞれシグナルすることができる。又は、マクロｅＮＢは、上記ＡＢＳに該当するサブフレーム集合に対してのみ、上記表６のような情報をシグナルすることもできる。
【０１７９】
一方、上述した２．１とその以下の項目で説明した各情報は全てターゲットＵＥに送信されてもよく、その一部がターゲットＵＥに提供されてもよい。
【０１８０】
２−２．  干渉信号がＣＲＳ−ベースの信号である場合
【０１８１】
干渉信号がＣＲＳベースのＰＤＳＣＨである場合、ターゲットＵＥに受信信号からこのようなＣＲＳベースの干渉信号を除去させるために、ネットワークがシグナルしなければならない情報について述べる。干渉信号がＣＲＳベースのＰＤＳＣＨであるから、まずはＣＲＳシーケンスのシード値を把握しなければならない。このシード値は、干渉を誘発する上記ＣＲＳを送信するセルの物理セルＩＤであり、さらに、ＵＥは、ＣＲＳポートの数、ＣＲＳポートの位置、ＣＲＳの有無に関する情報、そしてＣＲＳが存在しないサブフレームにおける送信方式及びＲＳ情報を把握するためにＭＢＳＦＮサブフレーム構成を知る必要がある。
【０１８２】
また、ＣＲＳの送信電力が実際ＰＤＳＣＨ送信電力と異なりうるため、ＣＲＳ送信電力対比ＰＤＳＣＨ送信電力比率も、上記ターゲットＵＥにシグナルされる必要がある。上記ＣＲＳ送信電力対比ＰＤＳＣＨ送信電力比率は、ＣＲＳが送信されるシンボルとＣＲＳが送信されないシンボルにおける比率が全てシグナルされる必要がある。
【０１８３】
前述したＣＲＳを送信するセルの物理セルＩＤ、ＣＲＳポートの数、ＣＲＳポートの位置、ＣＲＳの有無に関する情報などを“ＣＲＳ関連情報”と称すると、上記ターゲットＵＥは、シグナルされたＣＲＳ関連情報を用いて干渉信号チャネルを推定し、シグナルされたＣＲＳ送信電力対比ＰＤＳＣＨ送信電力比率を用いて、実際にＣＲＳ−ベースのＰＤＳＣＨ干渉が存在するか否かを決定することができる。
【０１８４】
干渉信号がＣＲＳベースのＰＤＳＣＨである場合、上記干渉信号を除去しなければならないＵＥが必ず知るべき情報の一つは、上記干渉信号の送信のために用いられたＴＰＭＩ（Ｔｒａｎｓｍｉｔｔｅｄ  Ｐｒｅｃｏｄｉｎｇ  Ｍａｔｒｉｘ  Ｉｎｄｅｘ）である。しかし、毎サブフレームごとにチャネル状態によって動的に変動するＴＰＭＩを提供することには無理があり、だからといって、特定ＵＥのＴＰＭＩを固定させることは当該ＵＥの性能を低下させるため好ましくない。また、全体ＰＭＩのうち干渉ＵＥが実際に用いている（すなわち、干渉信号を送信するために用いられた）ＰＭＩをターゲットＵＥにブラインドに探索させることは、上記ターゲットＵＥには過度な負担となる。したがって、干渉ＵＥの性能を過度に低下させないレベルで上記干渉ＵＥのＰＭＩに制限を加えることができる。
【０１８５】
このような概念として、コードブック部分集合制限を加えることができる。例えば、特定ＵＥが全体１６個のＰＭのうちの一部ＰＭのみを用いて報告するように制約を加えることができる。これと同時に、このような情報をターゲットＵＥに伝達することによって、上記ターゲットＵＥがコードブック内で干渉ＵＥの使用が制限されたＰＭを除く残りＰＭ（すなわち、干渉ＵＥが使用できるＰＭの集合）に対してブラインドにＴＰＭＩを検出して干渉信号を除去するようにすることができる。
【０１８６】
すなわち、このようなコードブック部分集合制限情報を提供することによって、干渉ＵＥが使用するＴＰＭＩの候補を知らせる。これで、干渉ＵＥのランクにも制限を加えることができ、これと別に、明示的に干渉ＵＥ（又は、干渉信号）のランク制限情報が提供することができる。ランク制限情報、ＰＤＳＣＨ開始シンボルインデックス、変調次数（又は、ＭＣＳレベル）制限情報及びＨｅｔＮｅｔ支援に関する内容などは、前述した２−１のＤＭ−ＲＳベースの信号である場合と同一である。
【０１８７】
さらに、干渉信号がＣＲＳベースのＰＤＳＣＨであるとしても、ＰＤＳＣＨ送信方式を知らせるための目的で、支配的な干渉ＵＥの送信モード（Ｔｒａｎｓｍｉｓｓｉｏｎ  Ｍｏｄｅ；ＴＭ）情報を併せて伝達することができる。
【０１８８】
次に、干渉信号がＣＲＳベースの信号である場合にターゲットＵＥにシグナルされてもよい情報を例示する。
【０１８９】
【表８】
2016521085.tif 000027
【０１９０】
２−２−１．  ＣＲＳシーケンス探索手順
【０１９１】
ＣＲＳベースの干渉信号を除去するときにも、ＵＥがロング−タームで隣接セルのＣＲＳを測定及びモニタしなければならないが、上記の表８の場合のように、特定セルのＣＲＳ関連情報を受信したＵＥは、ＣＲＳベースの干渉信号を検出する際、ＣＲＳ受信信号強度が一定レベル以上に収まる場合にのみ、当該ＣＲＳを使用するＰＤＳＣＨが干渉として入る可能性があると判断し、受信信号強度が特定値以上であるＣＲＳのみを用いて干渉信号のチャネル推定及び除去を行うことができる。
【０１９２】
２−２−２．  サブバンドサイズ整列
【０１９３】
干渉除去に役立つ情報を受信して干渉信号を除去しようとするとき、さらに考慮しなければならない事項は、干渉信号のサブバンドサイズ整列（ｓｕｂｂａｎｄ  ｓｉｚｅ  ａｌｉｇｎｍｅｎｔ）に関するものである。要求される信号の割り当てられた周波数領域と干渉信号の割り当てられた周波数領域に対する考慮が必要である。干渉信号のリソース割り当て情報を直接知らせない限り、ターゲットＵＥにとっての干渉除去のための基本的な単位（ｇｒａｎｕｌａｒｉｔｙ）がｅＮＢ間に互いに約束されなければならず、これは、１つのＵＥに対するリソース割り当ての基本単位とならなければならない。
【０１９４】
また、ＣＲＳベースのＰＤＳＣＨ干渉を除去しようとするとき、ターゲットＵＥが干渉を除去しようとする周波数領域の単位において干渉信号のＴＰＭＩは変動無しで同一であるという前提が必要である。好ましくは、ターゲットＵＥがＣＱＩ報告に使用するサブバンドサイズと干渉除去の対象となる周波数領域のサイズが同一でなければならない。すなわち、サービングセルからターゲットＵＥへのリソース割り当て時にサブバンド単位にＰＭＩが決定され、隣接セルから干渉ＵＥへのリソース割り当て時にＰＭＩが同一に維持される単位が上記サブバンドとして決定されなければならない。したがって、ターゲットＵＥは、自身のサブバンドサイズと干渉ＵＥのサブバンドサイズとが同一であるという前提下に、自身に割り当てられた周波数領域における干渉除去を行うことができる。この場合、ｅＮＢ間にサブバンドサイズ及びリソース割り当てに対する約束が事前に行われなければならない。
【０１９５】
同様に、ＴＰＭＩが同一に維持される単位としてＰＲＢグルーピング（ｇｒｏｕｐｉｎｇ）も可能である。ＰＲＢグルーピング内で干渉ＵＥ及びターゲットＵＥのＴＰＭＩが同一に維持される。いくつのＰＲＢをグルーピングしてこのような目的に使用するかなどに関する情報も、ｅＮＢ間に事前に約束されなければならない。
【０１９６】
一方、前述した２．２とその以下の項目で説明した各情報が全てターゲットＵＥに送信されてもよく、それらの一部がターゲットＵＥに提供されてもよい。
【０１９７】
２−３．  ＤＭ−ＲＳベースの信号とＣＲＳベースの信号とが干渉信号として混在している場合
【０１９８】
現実的には、ターゲットＵＥに対する干渉信号は、ＤＭ−ＲＳベースのＰＤＳＣＨとＣＲＳベースのＰＤＳＣＨとが混在しており、上記ターゲットＵＥが受信信号から干渉信号を除去するためには、当該信号がＤＭ−ＲＳベースのＰＤＳＣＨか又はＣＲＳベースのＰＤＳＣＨかを区別可能でなければならず、このような判断に基づいて上記受信信号内の干渉量を推定し、該受信信号から干渉を除去しなければならない。
【０１９９】
したがって、ＤＭ−ＲＳベースのＰＤＳＣＨとＣＲＳベースのＰＤＳＣＨとが混在しているとき、ネットワークが提供すべき情報及びＵＥの動作について述べる。次の表は、上記の表６及び表８で説明された情報を含み、それに関する説明も、表６及び表８に関する説明を参照するものとする。
【０２００】
【表９−１】
2016521085.tif 000028
【表９−２】
2016521085.tif 000029
【０２０１】
上記の表９に、干渉信号がどのようなＲＳを用いて変調されたか把握できない場合、ターゲットＵＥに提供しなければならない情報を掲げた。まず、ｅＮＢは、シグナルされたＴＭを用いて、当該干渉信号がＣＲＳベースのＰＤＳＣＨか又はＤＭ−ＲＳベースのＰＤＳＣＨかをシグナルする。そして、シグナルされたＴＭに基づいて干渉信号の送信方式が把握できる。
【０２０２】
ＣＲＳベースのＴＭである場合（例えば、ＴＭ４）、ｅＮＢはＣＲＳ関連情報を提供し、このとき、ＤＭ−ＲＳ関連情報は提供されないことが好ましい。すなわち、ＣＲＳベースのＴＭの場合にはＱＣＬ仮定が必要でなく、よって、このような情報は省略されてもよい。
【０２０３】
ＤＭ−ＲＳベースのＴＭの場合（例えば、ＴＭ１０）、ｅＮＢは、ＣＲＳ関連情報に加えてＤＭ−ＲＳ関連情報も提供することができる。
【０２０４】
ターゲットＵＥは、表９のような情報を受信し、干渉信号を除去する際、ＣＲＳはＰＤＳＣＨの送信に関係なく常に送信される信号であるから、まず、与えられたＴＭを用いてＤＭ−ＲＳベースのＰＤＳＣＨがあると仮定し、ＤＭ−ＲＳシーケンスをブラインド検出する。その後、ＤＭ−ＲＳ干渉信号がないと判断されると、或いはＤＭ−ＲＳベースの干渉信号を除去した後に、ＣＲＳベースの干渉信号に対する推定を行う。
【実施例３】
【０２０５】
第３実施例−干渉候補ＲＳ情報の伝達
【０２０６】
以下の説明で、便宜上、干渉除去能力を有するターゲットＵＥに送信されるＰＤＳＣＨを“ｄｅｓｉｒｅｄ  ＰＤＳＣＨ”と称し、同じ時間／周波数リソースで他のＵＥに送信されるＰＤＳＣＨを“ｉｎｔｅｒｆｅｒｉｎｇ  ＰＤＳＣＨ”と称する。そして、ｉｎｔｅｒｆｅｒｉｎｇ  ＰＤＳＣＨがＤＭ−ＲＳモードで送信される場合に一緒に送信されるＤＭ−ＲＳを“ｉｎｔｅｒｆｅｒｉｎｇ  ＤＭ−ＲＳ”と称する。そして、ｉｎｔｅｒｆｅｒｉｎｇ  ＰＤＳＣＨがＣＲＳモードで送信される場合に一緒に送信されるＣＲＳを“ｉｎｔｅｒｆｅｒｉｎｇ  ＣＲＳ”と称する。
【０２０７】
本実施例は、ＵＥに干渉信号除去のための補助情報を半−静的に提供する方式において、さらに、ＵＥがブラインド検出（ｂｌｉｎｄ  ｄｅｔｅｃｔｉｏｎ）を効率的にするように補助情報集合間の従属性（ｄｅｐｅｎｄｅｎｃｙ）を指定する。
【０２０８】
−ＣＲＳベース干渉
【０２０９】
基地局が特定ＵＥに干渉を誘発する可能性があるセル（以下、干渉セル）の候補群を選択し、当該干渉セルで送信されるｉｎｔｅｒｆｅｒｉｎｇ  ＣＲＳに対して、下記のように、セルＩＤ、アンテナポート数、ＭＢＳＦＮサブフレームパターンから構成されたｉｎｔｅｒｆｅｒｉｎｇ  ＣＲＳ補助情報集合を構成してＵＥに半−静的に知らせる。干渉セルの候補群にＮ個のセルがある場合、Ｎ個のＣＲＳ補助情報集合をＵＥに知らせる。
【０２１０】
［ＣＲＳ補助情報集合］
【化１８】
2016521085.tif 000030
【０２１１】
このようなＣＲＳ補助情報集合は、ＦｅＩＣＩＣ（ｆｕｒｔｈｅｒ  ｅｎｈａｎｃｅｄ  ｉｎｔｅｒ−ｃｅｌｌ  ｉｎｔｅｒｆｅｒｅｎｃｅ  ｃｏｏｒｄｉｎａｔｉｏｎ）のために知らせていたＣＲＳ−ＡｓｓｉｓｔａｎｃｅＩｎｆｏ−ｒ１１と区別して、ＣＲＳ−ＡｓｓｉｓｔａｎｃｅＩｎｆｏ−ｒ１２で知らせる。ＣＲＳ−ＡｓｓｉｓｔａｎｃｅＩｎｆｏ−ｒ１１で知らせる隣接セルのＣＲＳは、サービングセルのＣＲＳと比較して同期とＣＰ長に対して何らの仮定もできないが、ＣＲＳ−ＡｓｓｉｓｔａｎｃｅＩｎｆｏ−ｒ１２で知らせる隣接セルのＣＲＳは、サービングセルのＣＲＳと比較して送信同期が取れている及び／又は同じＣＰ長を使用する場合に限定する。すなわち、ＣＲＳ−ＡｓｓｉｓｔａｎｃｅＩｎｆｏ−ｒ１１で知らせる隣接セルに対してはサービングセルからのＰＳＳ／ＳＳＳ、ＣＲＳ及びＰＢＣＨの干渉を除去し、隣接セルの送信するＰＳＳ／ＳＳＳ及びＣＲＳを検出して、隣接セルの送信時間とＣＰ長を読み取る。この場合、ＵＥは、隣接セルのＰＳＳ／ＳＳＳ信号に対して一般（ｎｏｒｍａｌ）ＣＰの場合と拡張（ｅｘｔｅｎｄｅｄ）ＣＰの場合を考慮して２回検出を試みる。しかし、本発明の一実施例に係るＣＲＳ−ＡｓｓｉｓｔａｎｃｅＩｎｆｏ−ｒ１２で知らせる隣接セルに対しては、サービングセルと同じＣＰ長を使用し、サブフレーム同期が取れている場合に限って知らせるので、ＵＥは、隣接セルのＰＳＳ／ＳＳＳを特定送信時間においてサービングセルのＣＰ長と同じＣＰ長の送信位置でのみ検出を試みる。
【０２１２】
そして、ＣＲＳ−ＡｓｓｉｓｔａｎｃｅＩｎｆｏ−ｒ１２は、隣接セルの送信帯域幅に関する情報を含むことができる。又は、ＣＲＳ−ＡｓｓｉｓｔａｎｃｅＩｎｆｏ−ｒ１２で知らせる隣接セルの送信帯域幅は、サービングセルの送信帯域幅と等しい又は大きい場合に限定してもよい。すなわち、ＵＥは、ＣＲＳ−ＡｓｓｉｓｔａｎｃｅＩｎｆｏ−ｒ１２で知らせる隣接セルが送信するＣＲＳの送信帯域幅が自身のサービングセルの送信帯域幅と等しいと仮定して検出する。
【０２１３】
また、基地局はＵＥに干渉セル（又は干渉送信ポイント）で送信し得るＮＺＰ（ｎｏｎ  ｚｅｒｏ  ｐｏｗｅｒ）ＣＳＩ−ＲＳに対して、下記のように、ＣＳＩ−ＲＳアンテナポート数、ＣＳＩ−ＲＳ送信サブフレーム及びＲＥ位置に対する設定、そしてＲＳシーケンス生成のためのスクランブリングＩＤから構成されたｉｎｔｅｒｆｅｒｉｎｇ  ＣＳＩ−ＲＳ補助情報集合を構成し、それをＵＥに半−静的に知らせる。
【０２１４】
［ＣＳＩ−ＲＳ補助情報集合］
【化１９】
2016521085.tif 000031
【０２１５】
この場合、それぞれのＣＳＩ−ＲＳがいずれのＣＲＳとＱＣＬ関係にあるかを知らせる。すなわち、ｉｎｔｅｒｆｅｒｉｎｇ  ＣＳＩ−ＲＳ補助情報にｑｃｌ−ＣＲＳ−Ｉｎｆｏが含まれており、いずれのＣＲＳとＱＣＬされたか、そして当該ＣＲＳの補助情報をＵＥに半−静的に知らせる。また、ｉｎｔｅｒｆｅｒｉｎｇ  ＣＳＩ−ＲＳ補助情報にｑｃｌ−Ｏｐｅｒａｔｉｏｎが含まれており、ＣＳＩ−ＲＳとＣＲＳのＱＣＬ  Ｂｅｈａｖｉｏｕｒ  ｔｙｐｅを知らせる。ＱＣＬ  ｔｙｐｅは、ｔｙｐｅ１又はｔｙｐｅ２のいずれかを有することができ、次のように定義される。
【０２１６】
Type  1:  The  UE  may  assume  the  CRS  antenna  ports  associated  with  qcl-CRS-Info  and  CSI-RS  antenna  ports  corresponding  to  the  CSI-RS  assistance  information  are  quasi  co-located  with  respect  to  delay  spread,  Doppler  spread,  Doppler  shift,  and  average  delay.
【０２１７】
・Type  2:  The  UE  may  assume  the  CRS  antenna  ports  associated  with  qcl-CRS-Info  and  CSI-RS  antenna  ports  corresponding  to  the  CSI-RS  assistance  information  are  quasi  co-located  with  respect  to  Doppler  shift,  and  Doppler  spread.
【０２１８】
ＵＥは、指定されたｉｎｔｅｒｆｅｒｉｎｇ  ＣＳＩ−ＲＳ補助情報のＱＣＬ  ｔｙｐｅがｔｙｐｅ１である場合には、当該ＣＳＩ−ＲＳが送信されたチャネルの遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、及び平均遅延（ａｖｅｒａｇｅ  ｄｅｌａｙ）を得るために、ＱＣＬされているＣＲＳから推定された該当の値を使用する。一方、ＵＥは、指定されたＣＳＩ−ＲＳ補助情報のＱＣＬ  ｔｙｐｅがｔｙｐｅ２である場合には、当該ＣＳＩ−ＲＳが送信されたチャネルのドップラー拡散、ドップラーシフトを得るために、ＱＣＬされているＣＲＳから推定された該当の値を使用し、平均遅延及び遅延拡散の推定は、当該ＣＳＩ−ＲＳ受信信号自体から行う。
【０２１９】
上記のＱＣＬ  ｔｙｐｅがｔｙｐｅ１又はｔｙｐｅ２のいずれであっても、ＣＳＩ−ＲＳ送信サブフレームのインデックス及びＱＣＬされたＣＲＳ送信サブフレームのインデックスを同一に設定する。これと違い、ＣＳＩ−ＲＳ送信サブフレームのインデックス及びＱＣＬされたＣＲＳ送信サブフレームのインデックスが異なる場合に、差値をＣＳＩ−ＲＳ補助情報に含めて知らせる。
【０２２０】
一つのセルが複数個のＣＳＩ−ＲＳを異なる送信ポイントで又は異なるビーム方向に送信してもよいため、干渉セルの候補群にＮ個のセルがある場合にもＣＳＩ−ＲＳ補助情報はＮより多くてもよい。逆に、一部のセルがＣＳＩ−ＲＳを送信しなくてもよいため、ＣＳＩ−ＲＳ補助情報はＮより少なくてもよい。
【０２２１】
ＱＣＬ  ｔｙｐｅは、設定されたＣＳＩ−ＲＳ別に独立して指定されてもよい。すなわち、一部のＣＳＩ−ＲＳはｔｙｐｅ１に、他のＣＳＩ−ＲＳはｔｙｐｅ２に指定されてもよい。また、同一ＣＲＳにＱＣＬされているＣＳＩ−ＲＳも、ＣＳＩ−ＲＳ別にＱＣＬ  ｔｙｐｅは異なってもよい。すなわち、ＣＲＳ１を送信するセルで２つのＣＳＩ−ＲＳ（ＣＳＩ−ＲＳ１とＣＳＩ−ＲＳ２）を送信するが、ＣＳＩ−ＲＳ１は、ＣＲＳ１と同じ送信ポイントで同じビームを用いて送信し、ＣＳＩ−ＲＳ２は、ＣＲＳ１と異なる送信ポイント又は異なるビームを用いて送信するようにし、ＣＲＳ１と関連して、ＣＳＩ−ＲＳ１はＱＣＬ  ｔｙｐｅ１と指定し、ＣＳＩ−ＲＳ２はＱＣＬ  ｔｙｐｅ２と指定して知らせることができる。
【０２２２】
また、ＣＳＩ−ＲＳのＣＰ長が一般ＣＰか拡張ＣＰかをＣＳＩ−ＲＳ補助情報に含めて知らせることができる。又は、ＣＳＩ−ＲＳのＣＰ長を、常に、ＣＱＬされているＣＲＳのＣＰ長と同一に設定し、ＵＥがＣＱＬされているＣＲＳと同じＣＰ長を仮定してＣＳＩ−ＲＳを検出するようにする。
【０２２３】
−  ＤＭ−ＲＳベース干渉
【０２２４】
基地局は、ターゲットＵＥに干渉セルから送信し得るｉｎｔｅｒｆｅｒｉｎｇ  ＤＭ−ＲＳに対して、下記のようにＲＳシーケンス生成のためのスクランブリングＩＤ及びＱＣＬ関係にあるＣＲＳ情報又はＣＳＩ−ＲＳ情報から構成されたｉｎｔｅｒｆｅｒｉｎｇ  ＤＭ−ＲＳ補助情報集合を構成して、ＵＥに半−静的に知らせる。ここで、ＤＭ−ＲＳはＰＤＳＣＨと併せて送信されるので、ｉｎｔｅｒｆｅｒｉｎｇ  ＤＭ−ＲＳの検出過程はｉｎｔｅｒｆｅｒｉｎｇ  ＰＤＳＣＨの干渉除去のために先行される過程である。
【０２２５】
［ＤＭ−ＲＳ補助情報集合１］
【化２０】
2016521085.tif 000032
【０２２６】
上に提案されたｉｎｔｅｒｆｅｒｉｎｇ  ＤＭ−ＲＳ補助情報において、当該ＤＭ−ＲＳを送信するセルでＴＭ１０のＱＣＬ  Ｔｙｐｅ  Ｂとして動作する場合にはｑｃｌ−ＣＲＳ−Ｉｎｆｏは省略され、ｑｃｌ−ＣＳＩ−ＲＳ−Ｉｎｆｏのみ設定されてもよく、ＤＭ−ＲＳがＴＭ８で送信されて当該セルでＣＳＩ−ＲＳが送信されない場合には、ｑｃｌ−ＣＳＩ−ＲＳ−Ｉｎｆｏは省略され、ｑｃｌ−ＣＲＳ−Ｉｎｆｏのみ設定されてもよい。
【０２２７】
ＵＥは、ＤＭ−ＲＳ補助情報にｑｃｌ−ＣＲＳ−Ｉｎｆｏがあると、次のＱＣＬ  ｔｙｐｅ３を仮定し、ｑｃｌ−ＣＳＩ−ＲＳ−Ｉｎｆｏがあると、次のＱＣＬ  ｔｙｐｅ４を仮定する。またＵＥは、ＤＭ−ＲＳ補助情報にｑｃｌ−ＣＲＳ−Ｉｎｆｏ及びｑｃｌ−ＣＳＩ−ＲＳ−Ｉｎｆｏが同時にあると、ＱＣＬ  ｔｙｐｅ３及びＱＣＬ  ｔｙｐｅ４を同時に仮定することができる。
【０２２８】
・Type  3:  The  UE  may  assume  the  CRS  antenna  ports  associated  with  qcl-CRS-Info  and  DM-RS  antenna  ports  associated  with  the  PDSCH  corresponding  to  the  DM-RS  assistance  information  are  quasi  co-located  with  respect  to  delay  spread,  Doppler  spread,  Doppler  shift,  and  average  delay.
【０２２９】
・Type  4:  The  UE  may  assume  the  CSI-RS  antenna  ports  associated  with  qcl-CSI-RS-Info  and  DM-RS  antenna  ports  associated  with  the  PDSCH  corresponding  to  the  DM-RS  assistance  information  are  quasi  co-located  with  respect  to  delay  spread,  Doppler  spread,  Doppler  shift,  and  average  delay.
【０２３０】
ＵＥは、指定されたＤＭ−ＲＳ補助情報のＱＣＬ  ｔｙｐｅ情報によって当該ＤＭ−ＲＳが送信されたチャネルの遅延拡散、ドップラー拡散、ドップラーシフト、そして平均遅延を得るために、ＱＣＬされているＣＲＳ又はＣＳＩ−ＲＳから推定された該当の値を使用する。
【０２３１】
上記のＱＣＬ  ｔｙｐｅがｔｙｐｅ３である場合において、ＤＭ−ＲＳ送信サブフレームのインデックス及びＱＣＬされたＣＲＳ送信サブフレームのインデックスは同一に設定する。これと違い、ＤＭ−ＲＳ送信サブフレームのインデックス及びＱＣＬされたＣＲＳ送信サブフレームのインデックスが異なる場合には、差値をＤＭ−ＲＳ補助情報に含めて知らせる。
【０２３２】
上記のＱＣＬ  ｔｙｐｅがｔｙｐｅ４である場合において、ＤＭ−ＲＳ送信サブフレームのインデックス及びＱＣＬされたＣＳＩ−ＲＳ送信サブフレームのインデックスは同一に設定する。これと違い、ＤＭ−ＲＳ送信サブフレームのインデックス及びＱＣＬされたＣＳＩ−ＲＳ送信サブフレームのインデックスが異なる場合には、差値をＤＭ−ＲＳ補助情報に含めて知らせる。
【０２３３】
又は、下記のｉｎｔｅｒｆｅｒｉｎｇ  ＤＭ−ＲＳ補助情報の例のように、当該ＤＭ−ＲＳのＱＣＬ  ｔｙｐｅを直接知らせ、ＱＣＬ  ｔｙｐｅ３であればｑｃｌ−ＣＲＳ−ｉｎｆｏのみを送信し、ＱＣＬ  ｔｙｐｅ４であればｑｃｌ−ＣＳＩ−ＲＳ−ｉｎｆｏのみを送信し、ＱＣＬ  ｔｙｐｅ３４であればｑｃｌ−ＣＲＳ−ｉｎｆｏ及びｑｃｌ−ＣＳＩ−ＲＳ−ｉｎｆｏの両方を送信する。
【０２３４】
［ＤＭ−ＲＳ補助情報集合２］
【化２１】
2016521085.tif 000033
【０２３５】
ＤＭ−ＲＳのＣＰ長が一般ＣＰか拡張ＣＰかをＤＭ−ＲＳ補助情報に含めて知らせることができる。又は、ＤＭ−ＲＳのＣＰ長は、常に、ＣＱＬされているＣＲＳ又はＣＳＩ−ＲＳのＣＰ長と同一に設定し、ＵＥがＣＱＬされているＣＲＳ又はＣＳＩ−ＲＳと同じＣＰ長を仮定してＤＭ−ＲＳを検出するようにする。
【０２３６】
上記のＤＭ−ＲＳの補助情報は、ｎＳＣＩＤとアンテナポートインデックス（ａｎｔｅｎｎａＰｏｒｔ）別に提供される方式を例示したが、同じＱＣＬ関係を有するＤＭ−ＲＳシーケンスに対して単一のＤＭ−ＲＳ補助情報集合で情報を知らせる方式も可能である。この場合には、下記のＤＭ−ＲＳ補助情報のように、該当のセルで使用する可能性のあるｎＳＣＩＤとアンテナポートインデックスについてビットマップで知らせることができる。
【０２３７】
［ＤＭ−ＲＳ補助情報集合３］
【化２２】
2016521085.tif 000034
【０２３８】
−  ＲＳ間の従属性
【０２３９】
図６は、本発明の一実施例に係る個別ＲＳ補助情報間の関係図である。図６は、例示的に２個のＣＲＳ補助情報、３個のＣＳＩ−ＲＳ補助情報、４個のＤＭ−ＲＳ補助情報を伝達した場合に、各ＲＳ間のＱＣＬ情報によるＲＳ間のＱＣＬ関係を線で表した。
【０２４０】
干渉セルから送信される可能性のあるＲＳに関する補助情報を受信したＵＥは、送信が周期的であるとともに頻度数が高いＣＲＳからまず検出を試みることができる。そして、検出されたＣＲＳとＱＣＬ関係にあるＣＳＩ−ＲＳに対して検出を試みることができる。最後に、検出されたＣＲＳ又は検出されたＣＳＩ−ＲＳとＱＣＬ関係にあるＤＭ−ＲＳに対して検出を試みることができる。ＣＲＳ及びＣＳＩ−ＲＳの送信は周期的であるが、ＤＭ−ＲＳの送信は非周期的であるため、毎サブフレームごとに送信可能なＤＭ−ＲＳシーケンスに対してブラインド検出が行われなければならない。
【０２４１】
ＵＥは、自身のブラインド検出性能によって検出候補群に制約を加えることができる。Ｎ個のＣＲＳ補助情報を受信したＵＥは、該当のＣＲＳに対する検出を試み、自身のブラインド検出性能に合わせて、受信信号強度が大きい一部のセルらからの送信信号のみを干渉除去の対象として考慮する。受信信号強度が大きい一部のＣＲＳのみを選択し、選択されたＣＲＳとＱＣＬ関係にあるＣＳＩ−ＲＳに対する検出を試み、受信信号強度が大きい一部のＣＳＩ−ＲＳを選択し、また、選択されたＣＲＳ又はＣＳＩ−ＲＳとＱＣＬ関係にあるＤＭ−ＲＳのみを検出しようと試みることができる。市上記の過程はＲＳ（ＣＲＳ、ＣＳＩ−ＲＳ、ＤＭ−ＲＳ）の送信電力が同じ場合には正確であるが、そうでない場合には不正確になりうる。このため、基地局は、ＵＥにとってＲＳの送信電力差が正確にわかり、それに基づく補正を修正して、検出を行う候補ＲＳを計算するようにすることができる。
【０２４２】
そのために、基地局は、ＵＥへのＣＳＩ−ＲＳ補助情報内にＣＳＩ−ＲＳ送信電力に関する情報を含めることができる。このようなＣＳＩ−ＲＳ送信電力に関する情報として、上に例示した［ＣＳＩ−ＲＳ補助情報集合］は“ｐ−Ｄ”を含んでいる。ＣＳＩ−ＲＳ送信電力に関する情報は、ＣＳＩ−ＲＳ  ＥＰＲＥとＣＲＳ  ＥＰＲＥとの割合として定義することができる。ここでいうＣＲＳは、該当のＣＳＩ−ＲＳとＱＣＬされたＣＲＳである。ＵＥは、検出されたＣＲＳとＱＣＬ関係にあるＣＳＩ−ＲＳに対して、ＱＣＬされたＣＲＳ受信強度にｐ−Ｄを適用して、期待されるＣＳＩ−ＲＳ受信強度を予測し、予測された受信強度が大きい順序でＣＳＩ−ＲＳ検出を試みることができる。
【０２４３】
また、基地局は、ＵＥへのＤＭ−ＲＳ補助情報内にＤＭ−ＲＳ送信電力に関する情報を含めることができる。このようなＤＭ−ＲＳ送信電力に関する情報として、［ＤＭ−ＲＳ補助情報集合１］、［ＤＭ−ＲＳ補助情報集合２］、［ＤＭ−ＲＳ補助情報集合３］などはＤＭ−ＲＳ補助情報内にｐ−Ｃを含んでいる一例を示す。ＤＭ−ＲＳ送信電力に関する情報は、ＱＣＬされたＣＳＩ−ＲＳがあると、ＤＭ−ＲＳ  ＥＰＲＥとＱＣＬされたＣＳＩ−ＲＳ  ＥＰＲＥとの割合として定義することができる。又は、ＱＣＬされたＣＳＩ−ＲＳがないと、ＤＭ−ＲＳ  ＥＰＲＥとＱＣＬされたＣＲＳ  ＥＰＲＥとの割合として定義することができる。ＵＥは、検出されたＣＲＳ又はＣＳＩ−ＲＳとＱＣＬ関係にあるＤＭ−ＲＳに対して、ＱＣＬされたＣＲＳ又はＣＳＩ−ＲＳ受信強度にｐ−Ｃを適用して、期待されるＤＭ−ＲＳ受信強度を予測し、予測された受信強度が大きい順序でＤＭ−ＲＳ検出を試みることができる。
【０２４４】
すなわち、サービング基地局は、ＵＥに半−静的なＲＲＣシグナリングで干渉候補群内の複数のセルに関するＣＲＳ情報及びＣＳＩ−ＲＳ情報、そしてこれとＱＣＬで連結された複数のＤＭ−ＲＳ情報を知らせるが、ＵＥは、受信信号強度が大きい一部の検出されたＣＲＳと関連付いたＤＭ−ＲＳの検出のみを試みることができる。すなわち、ＤＭ−ＲＳ検出は、ＱＣＬで連結されたＣＳＩ−ＲＳ又はＤＭ−ＲＳの検出に従属性を有する。ブラインド検出において、検出するＲＳ間の従属性を用いて干渉信号のためのブラインド検出の複雑度を下げることができる。このような従属性は、ＤＭ−ＲＳ間に拡張して適用されてもよい。
【０２４５】
１つのセルで送信可能なＤＭ−ＲＳのシーケンスは、セルで１レイヤ（ｌａｙｅｒ）のみを送信する場合に、ＴＭ９のみ考慮しても、ｎＳＣＩＤ（０又は１）とアンテナポート（７又は８）を取ることができ、総４個の可能なＤＭ−ＲＳシーケンスの中から一つを選択して送信することができる。したがって、ＵＥは総４個の可能なＤＭ−ＲＳシーケンスに対してブラインド検出を行わなければならない。
【０２４６】
しかし、干渉セルがアンテナポート８をランク２送信にのみ使用し、また、ＭＵ−ＭＩＭＯペアリングされる場合にのみｎＳＣＩＤ＝１を使用する運用方式を採択している場合には、ターゲットＵＥが上記総４個のＤＭ−ＲＳシーケンスに対して優先順位無しで４回のブラインド検出を行うようにすることは非効率的である。そこで、本発明の一実施例では、ＤＭ−ＲＳ間の従属性を基地局がＵＥに知らせて効率的にブラインド検出を行うようにする。提案方式において特定セルのアンテナポート８が同一セルのアンテナポート７に従属性を有すると、ＵＥはアンテナポート７に対してまずブラインド検出を試み、アンテナポート７が検出されると、アンテナポート８に対して検出を試み、アンテナポート７が検出されないと、アンテナポート８に対するブラインド検出は行わない。
【０２４７】
そのために、下記のように、ｉｎｔｅｒｆｅｒｉｎｇ  ＤＭ−ＲＳ補助情報集合に参照（ｒｅｆｅｒｅｎｃｅ）ＤＭ−ＲＳ  ＩＤ（ｒｅｆ−ＤＭＲＳ−ＡｓｓｉｓｔａｎｃｅＩｎｆｏＩｄ）を追加することができる。
【０２４８】
［ＤＭ−ＲＳ補助情報集合４］
【化２３】
2016521085.tif 000035
【０２４９】
ｒｅｆ−ＤＭＲＳ−ＡｓｓｉｓｔａｎｃｅＩｎｆｏＩｄが設定されている場合、該当のＩＤのＤＭ−ＲＳが検出されると、上記ＤＭ−ＲＳ補助情報集合に該当するＤＭ−ＲＳに対するブラインド検出が行われる。基地局は、上記参照ＩＤのＤＭ−ＲＳが送信される場合に限って当該ＤＭ−ＲＳ送信を行う。
【０２５０】
Ｉｎｔｅｒｆｅｒｉｎｇ  ＰＤＳＣＨのブラインド検出が効率的に行われるように、本発明の一実施例では、ＵＥに干渉信号除去のためのＲＳ補助情報を知らせる時に当該ＲＳの送信可能性、すなわち、ブラインド検出において優先順位（ｐｒｉｏｒｉｔｙ）を併せて知らせる。
【０２５１】
本発明の一実施例において、ＵＥは、ＤＭ−ＲＳとＱＣＬされているＣＲＳ又はＣＳＩ−ＲＳの受信電力の大きさに、基地局からＤＭ−ＲＳ別に知らせた上記優先順位を追加して、最終ブラインド検出のための優先順位を算出し、優先順位の高い順でブラインド検出を行うことができる。下記の例示は、ＤＭ−ＲＳ補助情報集合に０から１００までの優先順位を示す値が与えられてＵＥに指示された場合である。
【０２５２】
［ＤＭ−ＲＳ補助情報集合５］
【化２４】
2016521085.tif 000036
【０２５３】
このような優先順位は、下記のように、ＣＲＳ補助情報集合に含まれてＣＲＳ−ｂａｓｅｄ  ＰＤＳＣＨ送信の可能性を示すことができる。ＵＥは、ＣＲＳ補助情報に含まれた優先順位と、当該ＣＲＳにＱＣＬ連結されたＤＭ−ＲＳ補助情報の優先順位とを比較し、当該セルのＣＲＳ−ｂａｓｅｄ  ＰＤＳＣＨとＤＭＲＳ−ｂａｓｅｄ  ＰＤＳＣＨの送信可能性に関する情報を得ることができる。このように得られたＣＲＳ−ｂａｓｅｄ  ＰＤＳＣＨ送信可能性とＤＭＲＳ−ｂａｓｅｄ  ＰＤＳＣＨ送信可能性に基づいて、いずれの送信方式に対するブラインド検出をまず行うかを決定する。
【０２５４】
［ＣＲＳ補助情報集合２］
【化２５】
2016521085.tif 000037
【０２５５】
上記のＣＲＳ補助情報集合では、ＣＲＳ−ｂａｓｅｄ  ＰＤＳＣＨが送信される場合に、ＰＤＳＣＨ  ＥＰＲＥとＣＲＳ  ＥＰＲＥが把握できるように、ｐ−ａとｐ−ｂ値を併せて知らせる例示を示している。
【０２５６】
さらに、ＣＲＳ補助情報集合に、ＣＲＳ−ｂａｓｅｄ  ＰＤＳＣＨ送信に対してＴＭ２（ダイバーシチ送信方式）とＴＭ４（ＰＭＩ送信方式）とを区別して優先順位を知らせることができる。すなわち、ＴＭ２送信可能性を示す優先順位１とＴＭ４送信可能性を示す優先順位２の値を個別に知らせる。このような方式は、使用可能なＴＰＭＩのそれぞれに対して優先順位を知らせる方式に拡張されてもよい。
【０２５７】
図７は、本発明の一実施例に係る動作を例示する。ＵＥ（１）は、セル間干渉を誘発する可能性のある干渉セルから送信される参照信号に関する情報を受信することができる（Ｓ７１０）。図７では、上記参照信号に関する情報がｅＮＢ１（２）から受信されるとしたが、ｅＮＢ１（２）は、ＵＥ（１）のサービングセル、干渉セル又は第３の他のセルであってもよい。ＵＥ（１）は、上記の受信した参照信号に関する情報を用いて当該参照信号の検出を試みることができる。ここで、参照信号に関する情報は、上記干渉セルと上記端末のサービングセルが同じサイクリックプレフィックス（ｃｙｃｌｉｃ  ｐｒｅｆｉｘ）長を有し、互いに同期が取れている場合に受信することができる。このような制限により、ＵＥ（１）のプロセシング複雑度を下げることができる。
【０２５８】
上記参照信号に関する情報は、第１参照信号に関する情報集合、及び該第１参照信号と特定関係を持つ一つ以上の第２参照信号に関する情報集合を含むことができる。一つ以上の第２参照信号に関する情報集合のそれぞれは、該当の情報集合によって定義された第２参照信号が第１参照信号と特定関係を持つことを示す情報を含むことができる。さらにいうと、上記の特定関係は、該当の情報集合によって定義された第２参照信号が送信されるアンテナポートと第１参照信号が送信されるアンテナポートがＱＣＬ（ｑｕａｓｉ  ｃｏ−ｌｏｃａｔｅｄ）された関係を意味できる。
【０２５９】
上記の方法は、第１参照信号に関する情報を用いて第１参照信号を検出する段階と、上記検出された第１参照信号の受信電力及び上記一つ以上の第２参照信号に関する情報集合に含まれた電力補正値を用いて上記該当の情報集合によって定義された第２参照信号の予想受信電力を計算する段階と、上記予想受信電力があらかじめ決定された値以上である第２参照信号に対してのみ検出を試みる段階と、を含むことができる。このように第２参照信号に対する検出を第１参照信号に従属させることによって、ＵＥ（１）のプロセシング負荷を減少させることができ、より効率的な干渉除去動作を図ることができる。
【０２６０】
上記の一つ以上の第２参照信号に関する情報集合のうち少なくとも一つの集合は、該少なくとも一つの集合のために参照する必要がある他の集合を指示する情報を含むことができる。この場合、上記の方法は、上記少なくとも一つの集合に上記指示する情報が含まれていると、上記参照する必要がある他の集合によって定義される第２参照信号が成功的に検出された場合にのみ、上記少なくとも一つの集合によって定義された第２参照信号に対する検出を試みる段階をさらに含むことができる。これは、送信側、すなわち、ｅＮＢで使用する参照信号に対する制約、例えば、優先順位を設定しておき、特定参照信号は、該特定参照信号が参照する他の参照信号が送信される場合にのみ送信されるようにして、受信側、すなわち、ＵＥ（１）の受信プロセスに対する負荷制御を図ることができる。
【０２６１】
第１参照信号に関する情報集合及び第２参照信号に関する情報集合は、該当の参照信号ベースのデータチャネルの送信可能性を示すための値をさらに含むことができる。この送信可能性から、ＵＥ（１）はどの参照信号に対してまずブラインド検出を試みるかを決定することができる。
【０２６２】
第１参照信号に関する情報集合はＣＲＳ（ｃｅｌｌ−ｓｐｅｃｉｆｉｃ  ｒｅｆｅｒｅｎｃｅ  ｓｉｇｎａｌ）に関する情報集合であってもよく、この第１参照信号に関する情報集合は、当該情報集合を識別するための識別子、干渉セルの物理セル識別子、ＣＲＳのためのアンテナポート数及びＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）設定を含むことができる。
【０２６３】
第２参照信号に関する情報集合は、ＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）に関する情報集合であってもよく、この第２参照信号に関する情報集合は、当該情報集合を識別するための識別子、ＣＳＩ−ＲＳのためのアンテナポート数、ＣＳＩ−ＲＳが送信されるＲＥ位置及びサブフレームに対する設定、ＣＳＩ−ＲＳのためのシーケンス生成のためのスクランブリング識別子、ＣＳＩ−ＲＳと特定関係を持つＣＲＳに対する情報集合の識別子、上記の特定関係と関連した類型（ｔｙｐｅ）、又はＣＳＩ−ＲＳと特定関係を有するＣＲＳとの送信電力比率のうち少なくとも一つを含むことができる。
【０２６４】
第２参照信号に関する情報集合は、ＤＭ−ＲＳ（ｄｅｍｏｄｕｌａｔｉｏｎ−ｒｅｆｅｒｅｎｃｅ  ｓｉｇｎａｌ）に関する情報集合であってもよく、この第２参照信号に関する情報集合は、当該情報集合を識別するための識別子、ＤＭ−ＲＳのためのシーケンス生成のためのスクランブリング識別子、スクランブリング識別子フィールド値、ＤＭ−ＲＳのためのアンテナポートインデックス、ＤＭ−ＲＳと特定関係を持つＣＲＳ又はＣＳＩ−ＲＳとの送信電力比率、上記の特定関係と関連した類型（ｔｙｐｅ）、ＤＭ−ＲＳと特定関係を持つＣＲＳに対する情報集合の識別子、又はＤＭ−ＲＳと特定関係を持つＣＳＩ−ＲＳに関する情報集合の識別子のうち少なくとも一つを含むことができる。
【０２６５】
以上、図７を参照して本発明に係る実施例を簡略に説明したが、図７に係る実施例は、前述した実施例の少なくとも一部を代案又は追加として含んでもよい。
【０２６６】
図８は、本発明の実施例を実行する送信装置１０及び受信装置２０の構成要素を示すブロック図である。送信装置１０及び受信装置２０は、情報及び／又はデータ、信号、メッセージなどを運ぶ有線及び／又は無線信号を送信又は受信できる送受信ユニット１３，２３と、無線通信システム内の通信と関連した各種情報を記憶するメモリ１２，２２と、送受信ユニット１３，２３及びメモリ１２，２２の構成要素と動作的に接続してこれらの構成要素を制御し、当該装置が前述の本発明の実施例の少なくとも一つを実行するようにメモリ１２，２２及び／又は送受信ユニット１３，２３を制御するように構成されたプロセッサ１１，２１をそれぞれ備える。
【０２６７】
メモリ１２，２２は、プロセッサ１１，２１の処理及び制御のためのプログラムを格納することができ、入／出力される情報を臨時記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ４００ａ，４００ｂに設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０２６８】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後送受信ユニット１３に送信する。例えば、プロセッサ１１は、送信しようとするデータ列を逆多重化、チャネル符号化、スクランブリング、及び変調などをしてＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のために送受信ユニット１３はオシレータ（ｏｓｃｉｌｌａｔｏｒ）を含むことができる。送受信ユニット１３はＮｔ個（Ｎｔは１以上の正の整数）の送信アンテナを含むことができる。
【０２６９】
受信装置２０の信号処理過程は、送信装置１０の信号処理過程の逆となる。プロセッサ２１の制御下に、受信装置２０の送受信ユニット２３は送信装置１０から送信された無線信号を受信する。送受信ユニット２３は、Ｎｒ個の受信アンテナを含むことができ、送受信ユニット２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。送受信ユニット２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０２７０】
送受信ユニット１３，２３は一つ以上のアンテナを具備する。アンテナは、プロセッサ１１，２１の制御下に、本発明の一実施例によって、送受信ユニット１３，２３で処理された信号を外部に送信したり、外部から無線信号を受信して送受信ユニット１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組合せによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される上記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信ユニットの場合は２個以上のアンテナに接続されてもよい。
【０２７１】
本発明の実施例において、ＵＥが上りリンクでは送信装置１０として動作し、下りリンクでは受信装置２０として動作する。本発明の実施例において、ｅＮＢが上りリンクでは受信装置２０として動作し、下りリンクでは送信装置１０として動作する。
【０２７２】
送信装置１０又は受信装置２０は、上述した本発明の実施例のうちの少なくとも１つ又は２つ以上の実施例の組合せを実行することができる。
【０２７３】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２７４】
本発明は、端末、リレー、基地局などのような通信装置に利用可能である。
【図１】
2016521085.tif 000038
【図２】
2016521085.tif 000039
【図３】
2016521085.tif 000040
【図４】
2016521085.tif 000041
【図５（ａ）】
2016521085.tif 000042
【図５（ｂ）】
2016521085.tif 000043
【図５（ｃ）】
2016521085.tif 000044
【図５（ｄ）】
2016521085.tif 000045
【図６】
2016521085.tif 000046
【図７】
2016521085.tif 000047
【図８】
2016521085.tif 000048
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
無線通信システムにおいて干渉除去能力を有するユーザ機器（ＵＥ）のための干渉除去のための方法であって、前記方法は、
干渉除去のために隣接セルに関する情報を受信することと、
前記隣接セルに関する前記受信された情報を用いて、前記隣接セルから送信された干渉信号の除去を行うことと
を含み、
前記隣接セルに関する情報は、前記隣接セルが前記ＵＥのサービングセルと同じサイクリックプレフィックス（ＣＰ）長を有することと、前記隣接セルが前記サービングセルにサブフレーム同期させられていることとを示す、方法。
【請求項２】
前記隣接セルに関する情報は、前記隣接セルが前記サービングセルと同じ送信帯域幅を有することをさらに示す、請求項１に記載の方法。
【請求項３】
前記隣接セルに関する情報は、前記隣接セルによって使用されるＣＲＳ（ｃｅｌｌ−ｓｐｅｃｉｆｉｃ  ｒｅｆｅｒｅｎｃｅ  ｓｉｇｎａｌ）のためのアンテナポートの数をさらに含む、請求項１に記載の方法。
【請求項４】
前記隣接セルに関する情報は、前記隣接セルによって使用されるＭＢＳＦＮ（ｍｕｌｔｉｍｅｄｉａ  ａｎｄ  ｂｒｏａｄｃａｓｔ  ｓｉｎｇｌｅ  ｆｒａｍｅ  ｎｅｔｗｏｒｋ）サブフレーム構成をさらに含む、請求項１に記載の方法。
【請求項５】
前記隣接セルに関する情報は、第１参照信号に関する情報集合と、前記第１参照信号と特定関係を有する一つ以上の第２参照信号に関する情報集合とを含み、前記一つ以上の第２参照信号に関する情報集合のそれぞれは、該当の情報集合によって定義された第２参照信号が前記第１参照信号と前記特定関係を有することを示す情報を含む、請求項１に記載の方法。
【請求項６】
前記特定関係は、前記第２参照信号が送信されるアンテナポートと前記第１参照信号が送信されるアンテナポートとがＱＣＬ（ｑｕａｓｉ  ｃｏ−ｌｏｃａｔｅｄ）される関係に対応する、請求項５に記載の方法。
【請求項７】
前記第１参照信号に関する情報を用いて前記第１参照信号を検出することと、
前記検出された第１参照信号の受信電力と、前記一つ以上の第２参照信号に関する情報集合に含まれた電力補正値とを用いて、前記一つ以上の第２参照信号の受信電力を推定することと、
所定の値より高い推定された受信電力を有する第２参照信号のみの検出を試みることと
をさらに含む、請求項５に記載の方法。
【請求項８】
前記一つ以上の第２参照信号に関する情報集合のうちの少なくとも一つは、前記情報集合のうちの前記少なくとも一つが参照する他の情報集合を示す情報を含み、
前記方法は、前記情報集合のうちの前記少なくとも一つが前記別の情報集合を示す情報を含む場合に、前記別の情報集合によって定義された第２参照信号が成功的に検出されたときのみ、前記情報集合のうちの前記少なくとも一つによって定義された前記第２参照信号の検出を試みることをさらに含む、請求項５に記載の方法。
【請求項９】
前記第１参照信号に関する情報集合及び前記第２参照信号に関する情報集合は、該当の参照信号に基づくデータチャネルの送信可能性を示す値をさらに含む、請求項５に記載の方法。
【請求項１０】
前記第１参照信号に関する情報集合は、ＣＲＳ（ｃｅｌｌ−ｓｐｅｃｉｆｉｃ  ｒｅｆｅｒｅｎｃｅ  ｓｉｇｎａｌ）に関する情報集合であり、前記情報集合は、前記情報集合を識別するためのＩＤと、干渉セルの物理セルＩＤと、前記ＣＲＳのためのアンテナポートの数と、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）構成とを含む、請求項５に記載の方法。
【請求項１１】
前記一つ以上の第２参照信号に関する情報集合のそれぞれは、ＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）に関する情報集合であり、前記情報集合は、前記情報集合を識別するためのＩＤ、前記ＣＳＩ−ＲＳのためのアンテナポートの数、前記ＣＳＩ−ＲＳが送信されるＲＥ位置及びサブフレームの設定、前記ＣＳＩ−ＲＳのためのシーケンス生成のためのスクランブリングＩＤ、前記ＣＳＩ−ＲＳと特定関係を有するＣＲＳに関する情報集合のＩＤ、前記特定関係と関連した類型、又は前記ＣＳＩ−ＲＳと前記特定関係を有するＣＲＳとの前記ＣＳＩ−ＲＳの送信電力比率のうちの少なくとも一つを含む、請求項５に記載の方法。
【請求項１２】
前記一つ以上の第２参照信号に関する情報集合のそれぞれは、ＤＭ−ＲＳ（ｄｅｍｏｄｕｌａｔｉｏｎ−ｒｅｆｅｒｅｎｃｅ  ｓｉｇｎａｌ）に関する情報集合であり、前記情報集合は、前記情報集合を識別するためのＩＤ、前記ＤＭ−ＲＳのためのシーケンス生成のためのスクランブリングＩＤ、スクランブリング識別子フィールド値、前記ＤＭ−ＲＳのためのアンテナポートインデックス、前記ＤＭ−ＲＳと特定関係を有するＣＲＳ又はＣＳＩ−ＲＳとの前記ＤＭ−ＲＳの送信電力比率、前記特定関係と関連した類型、前記ＤＭ−ＲＳと前記特定関係を有するＣＲＳに関する情報集合のＩＤ、又は前記ＤＭ−ＲＳと前記特定関係を有する前記ＣＳＩ−ＲＳに関する情報集合のＩＤのうちの少なくとも一つを含む、請求項５に記載の方法。
【請求項１３】
前記干渉信号の除去を行うことは、同じＣＰ長に従った時間インスタンスにおける同期信号を検出することを含む、請求項１に記載の方法。
【請求項１４】
無線通信システムにおいて干渉除去能力を有するユーザ機器（ＵＥ）であって、前記ＵＥは、
無線周波数（（ＲＦ）Ｒａｄｉｏ  Ｆｒｅｑｕｅｎｃｙ）ユニットと、
前記ＲＦユニットを制御するように構成されたプロセッサと
を備え、
前記プロセッサは、干渉除去のために隣接セルに関する情報を受信することと、前記隣接セルに関する前記受信された情報を用いて前記隣接セルから送信された干渉信号の除去を行うこととを実行するように構成され、
前記隣接セルに関する情報は、干渉セルが前記ＵＥのサービングセルと同じサイクリックプレフィックス（ＣＰ）長を有することと、前記干渉セルが前記サービングセルにサブフレーム同期させられていることとを示す、ＵＥ。
【手続補正２】
【補正対象書類名】明細書
【補正対象項目名】００２０
【補正方法】変更
【補正の内容】
【００２０】
以上の課題解決方法は、本発明の実施例の一部に過ぎず、本願発明の技術的特徴が反映された様々な実施例が、当該技術の分野における通常の知識を有する者にとっては、以下に詳述する本発明の詳細な説明に基づいて導出され、理解されるであろう。
本明細書はさらに、例えば、以下を提供する。
（項目１）
無線通信システムにおいて干渉除去能力を有する端末のための干渉除去のための方法であって、
セル間干渉を誘発する可能性のある干渉セルから送信される参照信号に関する情報を受信するステップと、
前記受信された参照信号に関する情報を用いて前記参照信号の検出を試みるステップと、
を含み、
前記参照信号に関する情報は、前記干渉セルと前記端末のサービングセルが同じサイクリックプレフィックス長を有し、互いに同期が取れている場合に受信されることを特徴とする、干渉除去方法。
（項目２）
前記参照信号に関する情報は、第１参照信号に関する情報集合、及び前記第１参照信号と特定関係を持つ一つ以上の第２参照信号に関する情報集合を含み、
前記一つ以上の第２参照信号に関する情報集合のそれぞれは、該当の情報集合によって定義された第２参照信号が前記第１参照信号と前記特定関係を有することを示す情報を含むことを特徴とする、項目１に記載の干渉除去方法。
（項目３）
前記特定関係は、前記第２参照信号が送信されるアンテナポートと前記第１参照信号が送信されるアンテナポートとがＱＣＬ（ｑｕａｓｉ  ｃｏ−ｌｏｃａｔｅｄ）された関係であることを特徴とする、項目２に記載の干渉除去方法。
（項目４）
前記第１参照信号に関する情報を用いて第１参照信号を検出するステップと、
前記検出された第１参照信号の受信電力及び前記一つ以上の第２参照信号に関する情報集合に含まれた電力補正値を用いて、前記該当の情報集合によって定義された第２参照信号の予想受信電力を計算するステップと、
前記予想受信電力があらかじめ決定された値以上である第２参照信号に対してのみ検出を試みるステップと、
を含むことを特徴とする、項目２に記載の干渉除去方法。
（項目５）
前記一つ以上の第２参照信号に関する情報集合のうち少なくとも一つの集合は、前記少なくとも一つの集合のために参照する必要がある他の集合を指示する情報を含み、前記方法は、
前記指示する情報が含まれていると、前記参照する必要がある他の集合によって定義される第２参照信号が成功的に検出された場合にのみ、前記少なくとも一つの集合によって定義された第２参照信号に対する検出を試みるステップをさらに含むことを特徴とする、項目２に記載の干渉除去方法。
（項目６）
前記第１参照信号に関する情報集合及び前記第２参照信号に関する情報集合は、該当の参照信号ベースのデータチャネルの送信可能性を示すための値をさらに含むことを特徴とする、項目２に記載の干渉除去方法。
（項目７）
前記第１参照信号に関する情報集合は、ＣＲＳ（ｃｅｌｌ−ｓｐｅｃｉｆｉｃ  ｒｅｆｅｒｅｎｃｅ  ｓｉｇｎａｌ）に関する情報集合であり、
前記情報集合を識別するための識別子、前記干渉セルの物理セル識別子、前記ＣＲＳのためのアンテナポート数、及びＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）設定を含むことを特徴とする、項目２に記載の干渉除去方法。
（項目８）
前記第２参照信号に関する情報集合は、ＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）に関する情報集合であり、
前記情報集合を識別するための識別子、前記ＣＳＩ−ＲＳのためのアンテナポート数、前記ＣＳＩ−ＲＳが送信されるＲＥ位置及びサブフレームに対する設定、前記ＣＳＩ−ＲＳのためのシーケンス生成のためのスクランブリング識別子、前記ＣＳＩ−ＲＳと特定関係を持つＣＲＳに対する情報集合の識別子、前記特定関係と関連した類型（ｔｙｐｅ）、又は前記ＣＳＩ−ＲＳと特定関係を持つＣＲＳとの送信電力比率のうち少なくとも一つを含むことを特徴とする、項目２に記載の干渉除去方法。
（項目９）
前記第２参照信号に関する情報集合は、ＤＭ−ＲＳ（ｄｅｍｏｄｕｌａｔｉｏｎ−ｒｅｆｅｒｅｎｃｅ  ｓｉｇｎａｌ）に関する情報集合であり、
前記情報集合を識別するための識別子、前記ＤＭ−ＲＳのためのシーケンス生成のためのスクランブリング識別子、スクランブリング識別子フィールド値、前記ＤＭ−ＲＳのためのアンテナポートインデックス、前記ＤＭ−ＲＳと特定関係を持つＣＲＳ又はＣＳＩ−ＲＳとの送信電力比率、前記特定関係と関連した類型（ｔｙｐｅ）、前記ＤＭ−ＲＳと特定関係を持つＣＲＳに対する情報集合の識別子、又は前記ＤＭ−ＲＳと特定関係を持つＣＳＩ−ＲＳに関する情報集合の識別子のうち少なくとも一つを含むことを特徴とする、項目２に記載の干渉除去方法。
（項目１０）
無線通信システムにおいて干渉除去能力を有する端末であって、
無線周波数（Ｒａｄｉｏ  Ｆｒｅｑｕｅｎｃｙ；ＲＦ）ユニットと、
前記ＲＦユニットを制御するように構成されたプロセッサと、
を備え、
前記プロセッサは、セル間干渉を誘発する可能性のある干渉セルから送信される参照信号に関する情報を受信し、前記受信された参照信号に関する情報を用いて前記参照信号の検出を試みるように構成され、
前記参照信号に関する情報は、前記干渉セルと前記端末のサービングセルが同じサイクリックプレフィックス長を有し、互いに同期が取れている場合に受信されることを特徴とする、端末。
【国際調査報告】
2016521085.tif 000049
2016521085.tif 000050